(57)【特許請求の範囲】
【請求項１】
凸部が形成された肌当接面を有する液透過性のトップシートと、
液不透過性のバックシートと、
前記トップシート及び前記バックシートの間に配置された液吸収性の吸収層であって、前記吸収層を厚さ方向に貫通する貫通孔又は前記トップシート側に開口する凹部を有する前記吸収層と
を備える、展開可能に折り畳まれた尿取りパッドであって、
（ａ）前記尿取りパッドが展開された状態において、
前記尿取りパッドは、互いに直交する長手方向、短手方向及び厚さ方向を有しており、
前記吸収層は、以下の第１仮想平面〜第４仮想平面：
前記尿取りパッドの前記トップシート側の表面において前記長手方向に延在する第１仮想直線を含み、前記厚さ方向に延在する第１仮想平面；
前記尿取りパッドの前記トップシート側の表面において前記第１仮想直線に平行に延在する第２仮想直線を含み、前記厚さ方向に延在する第２仮想平面；
前記尿取りパッドの前記トップシート側の表面において前記短手方向に延在する第３仮想直線を含み、前記厚さ方向に延在する第３仮想平面；及び
前記尿取りパッドの前記トップシート側の表面において前記第３仮想直線に平行に延在する第４仮想直線を含み、前記厚さ方向に延在する第４仮想平面
によって区画された以下の第１部分〜第５部分：
前記第１仮想平面〜前記第４仮想平面によって囲まれた第１部分；
前記第１部分の前記第１仮想平面側の端縁部から前記吸収層の端縁部まで前記短手方向に延在する第２部分；
前記第１部分の前記第２仮想平面側の端縁部から前記吸収層の端縁部まで前記短手方向に延在する第３部分；
前記第１部分の前記第３仮想平面側の端縁部から前記吸収層の端縁部まで前記長手方向に延在する第４部分；及び
前記第１部分の前記第４仮想平面側の端縁部から前記吸収層の端縁部まで前記長手方向に延在する第５部分
を有しており、
前記貫通孔又は前記凹部は、前記第１部分に位置しており、
（ｂ）前記尿取りパッドが折り畳まれた状態において、
前記尿取りパッドが前記第１仮想直線で前記トップシート側に折り曲げられることにより、前記第１部分は、前記第１部分の厚さ方向において、前記第２部分と重なっており、
前記尿取りパッドが前記第２仮想直線で前記トップシート側に折り曲げられることにより、前記第１部分は、前記第１部分の厚さ方向において、前記第３部分と重なっており、
前記第１部分は、前記第１部分の厚さ方向において前記第２部分と重なる第１重なり部分と、前記第１部分の厚さ方向において前記第３部分と重なる第２重なり部分と、前記第１部分の厚さ方向において前記第２部分及び前記第３部分のいずれとも重ならない非重なり部分とを有しており、
前記貫通孔又は前記凹部は、前記非重なり部分に位置している、前記尿取りパッド。
【請求項２】
請求項１に記載の尿取りパッドであって、
（ａ）前記尿取りパッドが展開された状態において、
前記吸収層は、前記第１部分〜前記第５部分に加えて、前記第１仮想平面〜前記第４仮想平面によって区画された以下の第６部分及び第７部分：
前記第４部分の前記第１仮想平面側の端縁部から前記吸収層の端縁部まで前記短手方向に延在する第６部分；及び
前記第４部分の前記第２仮想平面側の端縁部から前記吸収層の端縁部まで前記短手方向に延在する第７部分
を有しており、
（ｂ）前記尿取りパッドが折り畳まれた状態において、
前記尿取りパッドが前記第１仮想直線で前記トップシート側に折り曲げられることにより、前記第４部分は、前記第４部分の厚さ方向において、前記第６部分と重なっており、
前記尿取りパッドが前記第２仮想直線で前記トップシート側に折り曲げられることにより、前記第４部分は、前記第４部分の厚さ方向において、前記第７部分と重なっており、
前記尿取りパッドが前記第１仮想直線及び前記第２仮想直線で前記トップシート側に折り曲げられた後、前記第３仮想直線で前記トップシート側に折り曲げられることにより、前記第１部分の前記第１重なり部分は、前記第１部分の厚さ方向において、前記第１重なり部分側から順に前記第２部分、前記第６部分及び前記第４部分と重なっており、前記第１部分の前記第２重なり部分は、前記第１部分の厚さ方向において、前記第２重なり部分側から順に前記第３部分、前記第７部分及び前記第４部分と重なっている、前記尿取りパッド。
【請求項３】
請求項２に記載の尿取りパッドであって、
（ａ）前記尿取りパッドが展開された状態において、
前記吸収層は、前記第１部分〜前記第７部分に加えて、前記第１仮想平面〜前記第４仮想平面によって区画された以下の第８部分及び第９部分：
前記第５部分の前記第１仮想平面側の端縁部から前記吸収層の端縁部まで前記短手方向に延在する第８部分；及び
前記第５部分の前記第２仮想平面側の端縁部から前記吸収層の端縁部まで前記短手方向に延在する第９部分
を有しており、
（ｂ）前記尿取りパッドが折り畳まれた状態において、
前記尿取りパッドが前記第１仮想直線で前記トップシート側に折り曲げられることにより、前記第５部分は、前記第５部分の厚さ方向において、前記第８部分と重なっており、
前記尿取りパッドが前記第２仮想直線で前記トップシート側に折り曲げられることにより、前記第５部分は、前記第５部分の厚さ方向において、前記第９部分と重なっており、
前記尿取りパッドが前記第１仮想直線及び前記第２仮想直線で前記トップシート側に折り曲げられた後、前記第３仮想直線で前記トップシート側に折り曲げられ、次いで、前記第４仮想直線で前記トップシート側に折り曲げられることにより、前記第１部分の前記第１重なり部分は、前記第１部分の厚さ方向において、前記第１重なり部分側から順に前記第２部分、前記第６部分、前記第４部分、前記第８部分及び第５部分と重なっており、前記第１部分の前記第２重なり部分は、前記第１部分の厚さ方向において、前記第２重なり部分側から順に前記第３部分、前記第７部分、前記第４部分、前記第９部分及び第５部分と重なっている、前記尿取りパッド。
【請求項４】
請求項３に記載の尿取りパッドであって、
前記尿取りパッドが展開された状態において、
前記凹部又は前記貫通孔は、前記尿取りパッドの短手方向略中央において前記尿取りパッドの長手方向に延在しており、
前記第１部分、前記第２部分及び前記第３部分は、前記尿取りパッドの股間部を形成しており、
前記第４部分、前記第６部分及び前記第７部分は、前記尿取りパッドの腹側部を形成しており、
前記第５部分、前記第８部分及び前記第９部分は、前記尿取りパッドの背側部を形成している、前記尿取りパッド。
【請求項５】
請求項１〜４のいずれか１項に記載の尿取りパッドであって、
前記尿取りパッドが展開された状態において、
前記第２部分は、前記第１部分の前記第１仮想平面側の端縁部から前記短手方向に延在する高坪量部分と、前記高坪量部分から前記短手方向にさらに延在する低坪量部分とを有しており、
前記第３部分は、前記第１部分の前記第２仮想平面側の端縁部から前記短手方向に延在する高坪量部分と、前記高坪量部分から前記短手方向にさらに延在する低坪量部分とを有する、前記尿取りパッド。
【請求項６】
請求項５に記載の尿取りパッドであって、
前記吸収層は、前記吸収層の端縁部まで延在する第１層と、前記吸収層の端縁部まで延在しない第２層とを有しており、
前記高坪量部分は、前記第１層及び前記２層が重なる部分によって形成されており、
前記低坪量部分は、前記第１層のうち前記第２層と重ならない部分によって形成されている、前記尿取りパッド。
【請求項７】
請求項６に記載の尿取りパッドであって、
前記第１層が、前記第２層よりも前記トップシート側に位置している、前記尿取りパッド。
【請求項８】
請求項１〜７のいずれか１項に記載の尿取りパッドと、前記尿取りパッドが折り畳み状態を維持して収納された容器とを備える、尿取りパッド収納品。
【発明の詳細な説明】
【技術分野】
【０００１】
本発明は、展開可能に折り畳まれた尿取りパッド及び該尿取りパッドが折り畳み状態を維持して収納された尿取りパッド収納品に関する。
【背景技術】
【０００２】
特許文献１には、着用者の陰部が当接する部分に、貫通条孔が形成された吸収層が配置された尿取りパッドが記載されている。特許文献１に記載の尿取りパッドでは、着用者の陰部に対する尿取りパッドのフィット性を向上させることが可能である。また、着用者の陰部が当接する部分が湿潤状態となりにくいため、着用者の不快感を防止することが可能である。
【０００３】
特許文献２〜１３には、表面に凸部が形成された不織布及び該不織布の吸収性物品のトップシートとしての使用が開示されている。特許文献２〜１３に記載の不織布では、表面に形成された凸部により、不織布の液透過性及び肌触りを向上させることが可能である。
【先行技術文献】
【特許文献】
【０００４】
【特許文献１】特開２００６−９５１５６号公報
【特許文献２】特開２００９−３０２１８号公報
【特許文献３】特開２００８−２３３２６号公報
【特許文献４】特開２００８−２５０７９号公報
【特許文献５】特開２００４−１７４２３４号公報
【特許文献６】特開２００９−１６００３５号公報
【特許文献７】特開２００９−２０１９６４号公報
【特許文献８】特開２０１２−５７０１号公報
【特許文献９】特開２００２−１８７２２８号公報
【特許文献１０】特開２００３−２４７１５５号公報
【特許文献１１】特開２００７−１７７３４０号公報
【特許文献１２】特開２００５−３５０８３６号公報
【特許文献１３】特開２０１０−１６８７１５号公報
【発明の概要】
【発明が解決しようとする課題】
【０００５】
尿取りパッドは、容器（例えば、プラスチックフィルム等の包装資材で構成された袋状成形品）に収納された形態（すなわち、尿取りパッド収納品の形態）で取り扱われるのが一般的である。この際、容器には、折り畳まれた複数の尿取りパッドが圧縮された状態で互いに隣接して収納される。したがって、容器に収納された尿取りパッドは、容器内で圧力を受け続ける。
【０００６】
このため、凸部が形成された液透過性のトップシートを尿取りパッドに搭載した場合、尿取りパッドに加えられる圧力により、トップシートに形成された凸部が潰され、凸部の機能（例えば、液透過性の向上、肌触りの向上等）が低下するおそれがある。
【０００７】
そこで、本発明は、凸部が形成された液透過性のトップシートを備える、展開可能に折り畳まれた尿取りパッドであって、トップシートのうち所定領域（例えば、着用者の陰部が当接する領域）に形成されている凸部の形態を維持可能な尿取りパッド、及び、該尿取りパッドが折り畳み状態を維持して収納された尿取りパッド収納品を提供することを目的とする。
【課題を解決するための手段】
【０００８】
上記課題を解決するために、本発明は、凸部が形成された肌当接面を有する液透過性のトップシートと、液不透過性のバックシートと、前記トップシート及び前記バックシートの間に配置された液吸収性の吸収層であって、前記吸収層を厚さ方向に貫通する貫通孔又は前記トップシート側に開口する凹部を有する前記吸収層とを備える、展開可能に折り畳まれた尿取りパッドであって、
（ａ）前記尿取りパッドが展開された状態において、
前記尿取りパッドは、互いに直交する長手方向、短手方向及び厚さ方向を有しており、
前記吸収層は、以下の第１仮想平面〜第４仮想平面：
前記尿取りパッドの前記トップシート側の表面において前記長手方向に延在する第１仮想直線を含み、前記厚さ方向に延在する第１仮想平面；
前記尿取りパッドの前記トップシート側の表面において前記第１仮想直線に平行に延在する第２仮想直線を含み、前記厚さ方向に延在する第２仮想平面；
前記尿取りパッドの前記トップシート側の表面において前記短手方向に延在する第３仮想直線を含み、前記厚さ方向に延在する第３仮想平面；及び
前記尿取りパッドの前記トップシート側の表面において前記第３仮想直線に平行に延在する第４仮想直線を含み、前記厚さ方向に延在する第４仮想平面
によって区画された以下の第１部分〜第５部分：
前記第１仮想平面〜前記第４仮想平面によって囲まれた第１部分；
前記第１部分の前記第１仮想平面側の端縁部から前記吸収層の端縁部まで前記短手方向に延在する第２部分；
前記第１部分の前記第２仮想平面側の端縁部から前記吸収層の端縁部まで前記短手方向に延在する第３部分；
前記第１部分の前記第３仮想平面側の端縁部から前記吸収層の端縁部まで前記長手方向に延在する第４部分；及び
前記第１部分の前記第４仮想平面側の端縁部から前記吸収層の端縁部まで前記長手方向に延在する第５部分
を有しており、
前記貫通孔又は前記凹部は、前記第１部分に位置しており、
（ｂ）前記尿取りパッドが折り畳まれた状態において、
前記尿取りパッドが前記第１仮想直線で前記トップシート側に折り曲げられることにより、前記第１部分は、前記第１部分の厚さ方向において、前記第２部分と重なっており、
前記尿取りパッドが前記第２仮想直線で前記トップシート側に折り曲げられることにより、前記第１部分は、前記第１部分の厚さ方向において、前記第３部分と重なっており、
前記第１部分は、前記第１部分の厚さ方向において前記第２部分と重なる第１重なり部分と、前記第１部分の厚さ方向において前記第３部分と重なる第２重なり部分と、前記第１部分の厚さ方向において前記第２部分及び前記第３部分のいずれとも重ならない非重なり部分とを有しており、
前記貫通孔又は前記凹部は、前記非重なり部分に位置している、前記尿取りパッドを提供する。
【０００９】
また、本発明は、本発明の尿取りパッドと、前記尿取りパッドが折り畳み状態を維持して収納された容器とを備える、尿取りパッド収納品を提供する。
【発明の効果】
【００１０】
本発明によれば、凸部が形成された液透過性のトップシートを備える、展開可能に折り畳まれた尿取りパッドであって、トップシートのうち所定領域（例えば、着用者の陰部が当接する領域）に形成されている凸部の形態を維持可能な尿取りパッド、及び、該尿取りパッドが折り畳み状態を維持して収納された尿取りパッド収納品が提供される。
【図面の簡単な説明】
【００１１】
【図１】図１は、本発明の一実施形態に係る尿取りパッドの展開状態の平面図である。
【図２】図２は、図１に示す尿取りパッドの分解斜視図である。
【図３】図３は、図１のＡ−Ａ線断面図である。
【図４】図４は、図１に示す尿取りパッドが具備するトップシートの一部の拡大斜視図である。
【図５】図５は、図１に示す尿取りパッドの厚さ方向に対して垂直な仮想平面であって、当該尿取りパッドが具備する吸収層の第１層及び第２層が投影された仮想平面を示す図である。
【図６】図６は、第１仮想平面〜第４仮想平面によって区画された、図１に示す尿取りパッドの９つの部分（第１部分〜第９部分）及び当該９つの部分に含まれる吸収層の９つの部分（第１部分〜第９部分）を説明するための図である。
【図７】図７は、図１に示す尿取りパッドの折り畳み状態の斜視図である。
【図８】図８は、図７のＢ−Ｂ線断面図である。
【図９】図９は、図１に示す展開状態の尿取りパッドが第１仮想直線で折り曲げられた後、第２仮想直線で折り曲げられることにより形成された折り畳み構造体の平面図である。
【図１０】図１０（ａ）は、図９のＣ−Ｃ線断面図であり、図１０（ｂ）は、図９のＤ−Ｄ線断面図である。
【図１１】図１１は、図１に示す尿取りパッドが折り畳み状態を維持して収納された尿取りパッド収納品の一部破断側面図である。
【図１２】図１２は、図１に示す尿取りパッドが折り畳み状態を維持して収納された尿取りパッド収納品の一部破断正面図である。
【発明を実施するための形態】
【００１２】
以下、本発明の尿取りパッド及び尿取りパッド収納品について説明する。
本発明の一態様（態様１）に係る尿取りパッドは、凸部が形成された肌当接面を有する液透過性のトップシートと、液不透過性のバックシートと、前記トップシート及び前記バックシートの間に配置された液吸収性の吸収層であって、前記吸収層を厚さ方向に貫通する貫通孔又は前記トップシート側に開口する凹部を有する前記吸収層とを備える、展開可能に折り畳まれた尿取りパッドであって、
（ａ）前記尿取りパッドが展開された状態において、
前記尿取りパッドは、互いに直交する長手方向、短手方向及び厚さ方向を有しており、
前記吸収層は、以下の第１仮想平面〜第４仮想平面：
前記尿取りパッドの前記トップシート側の表面において前記長手方向に延在する第１仮想直線を含み、前記厚さ方向に延在する第１仮想平面；
前記尿取りパッドの前記トップシート側の表面において前記第１仮想直線に平行に延在する第２仮想直線を含み、前記厚さ方向に延在する第２仮想平面；
前記尿取りパッドの前記トップシート側の表面において前記短手方向に延在する第３仮想直線を含み、前記厚さ方向に延在する第３仮想平面；及び
前記尿取りパッドの前記トップシート側の表面において前記第３仮想直線に平行に延在する第４仮想直線を含み、前記厚さ方向に延在する第４仮想平面
によって区画された以下の第１部分〜第５部分：
前記第１仮想平面〜前記第４仮想平面によって囲まれた第１部分；
前記第１部分の前記第１仮想平面側の端縁部から前記吸収層の端縁部まで前記短手方向に延在する第２部分；
前記第１部分の前記第２仮想平面側の端縁部から前記吸収層の端縁部まで前記短手方向に延在する第３部分；
前記第１部分の前記第３仮想平面側の端縁部から前記吸収層の端縁部まで前記長手方向に延在する第４部分；及び
前記第１部分の前記第４仮想平面側の端縁部から前記吸収層の端縁部まで前記長手方向に延在する第５部分
を有しており、
前記貫通孔又は前記凹部は、前記第１部分に位置しており、
（ｂ）前記尿取りパッドが折り畳まれた状態において、
前記尿取りパッドが前記第１仮想直線で前記トップシート側に折り曲げられることにより、前記第１部分は、前記第１部分の厚さ方向において、前記第２部分と重なっており、
前記尿取りパッドが前記第２仮想直線で前記トップシート側に折り曲げられることにより、前記第１部分は、前記第１部分の厚さ方向において、前記第３部分と重なっており、
前記第１部分は、前記第１部分の厚さ方向において前記第２部分と重なる第１重なり部分と、前記第１部分の厚さ方向において前記第３部分と重なる第２重なり部分と、前記第１部分の厚さ方向において前記第２部分及び前記第３部分のいずれとも重ならない非重なり部分とを有しており、
前記貫通孔又は前記凹部は、前記非重なり部分に位置している、前記尿取りパッドである。
【００１３】
態様１に係る尿取りパッドにおいて、吸収層の第１部分のうち、第１重なり部分及び第２重なり部分には、それぞれ、吸収層の第１部分の厚さ方向において、吸収層の第２部分及び第３部分が重なっている一方、非重なり部分には、吸収層の第１部分の厚さ方向において、吸収層の第２部分及び第３部分のいずれも重なっていない。したがって、尿取りパッドを吸収層の第１部分の厚さ方向に圧縮する圧力が尿取りパッドに加えられたとき（例えば、態様１に係る複数の尿取りパッドが、吸収層の第１部分の厚さ方向に圧縮された状態で互いに隣接して容器に収納されているとき）、第１重なり部分に重なっている吸収層の第２部分と、第２重なり部分に重なっている吸収層の第３部分とが、圧力緩衝層として機能し、非重なり部分を圧力から保護する。このため、非重なり部分に配置されたトップシート部分は、尿取りパッドに加えられた圧力により押圧されにくい。また、非重なり部分には貫通孔又は凹部が位置しているので、非重なり部分に配置されたトップシート部分が押圧されたとしても貫通孔内又は凹部内に逃げ込むことができる。このように、尿取りパッドを吸収層の第１部分の厚さ方向に圧縮する圧力が尿取りパッドに加えられても、非重なり部分に配置されたトップシート部分は押圧されにくく、押圧されたとしても貫通孔内又は凹部内に逃げ込むことができるため、非重なり部分に配置されたトップシート部分における凸部の形態が維持されやすい。
【００１４】
態様１に係る尿取りパッドの好ましい一態様（態様２）では、
（ａ）前記尿取りパッドが展開された状態において、
前記吸収層は、前記第１部分〜前記第５部分に加えて、前記第１仮想平面〜前記第４仮想平面によって区画された以下の第６部分及び第７部分：
前記第４部分の前記第１仮想平面側の端縁部から前記吸収層の端縁部まで前記短手方向に延在する第６部分；及び
前記第４部分の前記第２仮想平面側の端縁部から前記吸収層の端縁部まで前記短手方向に延在する第７部分
を有しており、
（ｂ）前記尿取りパッドが折り畳まれた状態において、
前記尿取りパッドが前記第１仮想直線で前記トップシート側に折り曲げられることにより、前記第４部分は、前記第４部分の厚さ方向において、前記第６部分と重なっており、
前記尿取りパッドが前記第２仮想直線で前記トップシート側に折り曲げられることにより、前記第４部分は、前記第４部分の厚さ方向において、前記第７部分と重なっており、
前記尿取りパッドが前記第１仮想直線及び前記第２仮想直線で前記トップシート側に折り曲げられた後、前記第３仮想直線で前記トップシート側に折り曲げられることにより、前記第１部分の前記第１重なり部分は、前記第１部分の厚さ方向において、前記第１重なり部分側から順に前記第２部分、前記第６部分及び前記第４部分と重なっており、前記第１部分の前記第２重なり部分は、前記第１部分の厚さ方向において、前記第２重なり部分側から順に前記第３部分、前記第７部分及び前記第４部分と重なっている。
【００１５】
態様２に係る尿取りパッドにおいて、吸収層の第１部分のうち、第１重なり部分には、吸収層の複数の部分（第２部分、第６部分及び第４部分）が重なっており、第２重なり部分には、吸収層の複数の部分（第３部分、第７部分及び第４部分）が重なっている。したがって、尿取りパッドを吸収層の第１部分の厚さ方向に圧縮する圧力が尿取りパッドに加えられたとき（例えば、態様２に係る複数の尿取りパッドが、吸収層の第１部分の厚さ方向に圧縮された状態で互いに隣接して容器に収納されているとき）、第１重なり部分に重なっている吸収層の複数の部分（第２部分、第６部分及び第４部分）と、第２重なり部分に重なっている吸収層の複数の部分（第３部分、第７部分及び第４部分）とが、圧力緩衝層として機能し、非重なり部分を圧力から保護する。このため、非重なり部分に配置されたトップシート部分は、尿取りパッドに加えられた力により押圧されにくく、非重なり部分に配置されたトップシート部分における凸部の形態が維持されやすい。
【００１６】
態様２に係る尿取りパッドの好ましい一態様（態様３）では、
（ａ）前記尿取りパッドが展開された状態において、
前記吸収層は、前記第１部分〜前記第７部分に加えて、前記第１仮想平面〜前記第４仮想平面によって区画された以下の第８部分及び第９部分：
前記第５部分の前記第１仮想平面側の端縁部から前記吸収層の端縁部まで前記短手方向に延在する第８部分；及び
前記第５部分の前記第２仮想平面側の端縁部から前記吸収層の端縁部まで前記短手方向に延在する第９部分
を有しており、
（ｂ）前記尿取りパッドが折り畳まれた状態において、
前記尿取りパッドが前記第１仮想直線で前記トップシート側に折り曲げられることにより、前記第５部分は、前記第５部分の厚さ方向において、前記第８部分と重なっており、
前記尿取りパッドが前記第２仮想直線で前記トップシート側に折り曲げられることにより、前記第５部分は、前記第５部分の厚さ方向において、前記第９部分と重なっており、
前記尿取りパッドが前記第１仮想直線及び前記第２仮想直線で前記トップシート側に折り曲げられた後、前記第３仮想直線で前記トップシート側に折り曲げられ、次いで、前記第４仮想直線で前記トップシート側に折り曲げられることにより、前記第１部分の前記第１重なり部分は、前記第１部分の厚さ方向において、前記第１重なり部分側から順に前記第２部分、前記第６部分、前記第４部分、前記第８部分及び第５部分と重なっており、前記第１部分の前記第２重なり部分は、前記第１部分の厚さ方向において、前記第２重なり部分側から順に前記第３部分、前記第７部分、前記第４部分、前記第９部分及び第５部分と重なっている。
【００１７】
態様３に係る尿取りパッドにおいて、吸収層の第１部分のうち、第１重なり部分には、吸収層の複数の部分（第２部分、第６部分、第４部分、第８部分及び第５部分）が重なっており、第２重なり部分には、吸収層の複数の部分（第３部分、第７部分、第４部分、第９部分及び第５部分）が重なっている。したがって、尿取りパッドを吸収層の第１部分の厚さ方向に圧縮する圧力が尿取りパッドに加えられたとき（例えば、態様３に係る複数の尿取りパッドが、吸収層の第１部分の厚さ方向に圧縮された状態で互いに隣接して容器に収納されているとき）、第１重なり部分に重なっている吸収層の複数の部分（第２部分、第６部分、第４部分、第８部分及び第５部分）と、第２重なり部分に重なっている吸収層の複数の部分（第３部分、第７部分、第４部分、第９部分及び第５部分）とが、圧力緩衝層として機能し、非重なり部分を圧力から保護する。このため、非重なり部分に配置されたトップシート部分は、尿取りパッドに加えられた力により押圧されにくく、非重なり部分に配置されたトップシート部分における凸部の形態が維持されやすい。
【００１８】
態様３に係る尿取りパッドの好ましい一態様（態様４）では、
前記尿取りパッドが展開された状態において、
前記凹部又は前記貫通孔は、前記尿取りパッドの短手方向略中央において前記尿取りパッドの長手方向に延在しており、
前記第１部分、前記第２部分及び前記第３部分は、前記尿取りパッドの股間部を形成しており、
前記第４部分、前記第６部分及び前記第７部分は、前記尿取りパッドの腹側部を形成しており、
前記第５部分、前記第８部分及び前記第９部分は、前記尿取りパッドの背側部を形成している。
【００１９】
態様４に係る尿取りパッドでは、吸収層の凹部又は貫通孔が、尿取りパッドの股間部に形成されているとともに、尿取りパッドの短手方向略中央において尿取りパッドの長手方向に延在している。したがって、吸収層の凹部又は貫通孔の位置が、着用者の陰部（尿排泄口）の位置と一致しやすくなり、着用者に対する尿取りパッドのフィット性が向上する。また、着用者の陰部が当接する部分が湿潤状態となりにくいため、着用者の不快感が防止される。
【００２０】
態様１〜態様４のいずれか１つに係る尿取りパッドの好ましい一態様（態様５）では、
前記尿取りパッドが展開された状態において、
前記第２部分は、前記第１部分の前記第１仮想平面側の端縁部から前記短手方向に延在する高坪量部分と、前記高坪量部分から前記短手方向にさらに延在する低坪量部分とを有しており、
前記第３部分は、前記第１部分の前記第２仮想平面側の端縁部から前記短手方向に延在する高坪量部分と、前記高坪量部分から前記短手方向にさらに延在する低坪量部分とを有する。
【００２１】
態様５に係る尿取りパッドにおいて、第１重なり部分の一部分には、吸収層の第１部分の厚さ方向において吸収層の第２部分の高坪量部分が重なっており、他の部分には、吸収層の第１部分の厚さ方向において吸収層の第２部分の低坪量部分が重なっている。したがって、尿取りパッドを吸収層の第１部分の厚さ方向に圧縮する圧力が尿取りパッドに加えられたとき（例えば、態様５に係る複数の尿取りパッドが、吸収層の第１部分の厚さ方向に圧縮された状態で互いに隣接して容器に収納されているとき）、圧力は、第１重なり部分のうち、吸収層の第２部分の高坪量部分が重なっている部分に伝わりやすく、吸収層の第２部分の低坪量部分が重なっている部分に伝わりにくい。このため、第１重なり部分のうち、吸収層の第２部分の低坪量部分が重なっている部分に配置されたトップシート部分は、尿取りパッドに加えられた圧力により押圧されにくく、このトップシート部分における凸部の形態が維持されやすい。
【００２２】
態様５に係る尿取りパッドにおいて、第２重なり部分の一部分には、吸収層の第１部分の厚さ方向において吸収層の第３部分の高坪量部分が重なっており、他の部分には、吸収層の第１部分の厚さ方向において吸収層の第３部分の低坪量部分が重なっている。したがって、尿取りパッドを吸収層の第１部分の厚さ方向に圧縮する圧力が尿取りパッドに加えられたとき（例えば、態様５に係る複数の尿取りパッドが、吸収層の第１部分の厚さ方向に圧縮された状態で互いに隣接して容器に収納されているとき）、圧力は、第２重なり部分のうち、吸収層の第３部分の高坪量部分が重なっている部分に伝わりやすく、吸収層の第３部分の低坪量部分が重なっている部分に伝わりにくい。このため、第２重なり部分のうち、吸収層の第３部分の低坪量部分が重なっている部分に配置されたトップシート部分は、尿取りパッドに加えられた圧力により押圧されにくく、このトップシート部分における凸部の形態が維持されやすい。
【００２３】
態様５に係る尿取りパッドの好ましい一態様（態様６）では、
前記吸収層は、前記吸収層の端縁部まで延在する第１層と、前記吸収層の端縁部まで延在しない第２層とを有しており、
前記高坪量部分は、前記第１層及び前記２層が重なる部分によって形成されており、
前記低坪量部分は、前記第１層のうち前記第２層と重ならない部分によって形成されている。
【００２４】
態様６に係る尿取りパッドでは、吸収層の第２部分及び第３部分における高坪量部分及び低坪量部分を容易に形成することができる。また、吸収層の第２部分の高坪量部分の厚みが、吸収層の第２部分の低坪量部分の厚みよりも大きいので、尿取りパッドを吸収層の第１部分の厚さ方向に圧縮する圧力が尿取りパッドに加えられたとき（例えば、態様６に係る複数の尿取りパッドが、吸収層の第１部分の厚さ方向に圧縮された状態で互いに隣接して容器に収納されているとき）、圧力は、吸収層の第１部分の第１重なり部分のうち、吸収層の第２部分の高坪量部分が重なる部分に伝わりやすく、吸収層の第２部分の低坪量部分が重なる部分に伝わりにくい。同様に、吸収層の第３部分の高坪量部分の厚みが、吸収層の第３部分の低坪量部分の厚みよりも大きいので、圧力は、吸収層の第１部分の第２重なり部分のうち、吸収層の第３部分の高坪量部分が重なる部分に伝わりやすく、吸収層の第３部分の低坪量部分が重なる部分に伝わりにくい。このため、第１重なり部分のうち、吸収層の第２部分の低坪量部分が重なっている部分に配置されたトップシート部分、及び、第２重なり部分のうち、吸収層の第３部分の低坪量部分が重なっている部分に配置されたトップシート部分は、尿取りパッドに加えられた圧力により押圧されにくく、これらのトップシート部分における凸部の形態が維持されやすい。
【００２５】
態様６に係る尿取りパッドの好ましい一態様（態様７）では、前記第１層が、前記第２層よりも前記トップシート側に位置している。
【００２６】
態様７に係る尿取りパッドでは、吸収層の端縁部まで延在する第１層がトップシート側に位置しているため、着用者が、吸収層の第１層及び第２層のサイズ差に起因する段差を感じにくく、尿取りパッドの装着感が向上する。
【００２７】
本発明の一態様に係る尿取りパッド収納品は、態様１〜態様７のいずれか１つに係る尿取りパッドと、前記尿取りパッドが折り畳み状態を維持して収納された容器とを備える、尿取りパッド収納品である。
【００２８】
本態様に係る尿取りパッド収納品において、尿取りパッドを吸収層の第１部分の厚さ方向に圧縮する圧力が尿取りパッドに加えられたとき（例えば、態様１〜態様７のいずれか１つに係る複数の尿取りパッドが、吸収層の第１部分の厚さ方向に圧縮された状態で互いに隣接して容器に収納されているとき）、吸収層の第１部分の非重なり部分に配置されたトップシート部分は押圧されにくく、押圧されたとしても貫通孔内又は凹部内に逃げ込むことができるため、非重なり部分に配置されたトップシート部分における凸部の形態が維持されやすい。
【００２９】
以下、図面に基づいて、本発明に係る尿取りパッド及び尿取りパッド収納品の実施形態を説明する。
図１〜１０に示されるように、本発明に係る尿取りパッドの一実施形態である尿取りパッド１は、液透過性のトップシート２と、液不透過性のバックシート３と、トップシート２及びバックシート３の間に配置された液吸収性の吸収層４とを備えており、展開可能に折り畳まれている。
【００３０】
以下、尿取りパッド１について、（ａ）尿取りパッド１が展開された状態である場合と、（ｂ）尿取りパッド１が折り畳まれた状態である場合とに分けて説明する。なお、尿取りパッド１を構成する部材（トップシート２、バックシート３、吸収層４等）については、便宜上、（ａ）中で説明する。
【００３１】
（ａ）尿取りパッド１が展開された状態である場合
図１〜図６に基づいて、展開状態の尿取りパッド１について説明する。図１は、展開状態の尿取りパッド１の平面図であり、図２は、尿取りパッド１の分解斜視図であり、図３は、図１のＡ−Ａ線断面図であり、図４は、尿取りパッド１が具備するトップシート２の一部の拡大斜視図であり、図５は、展開状態の尿取りパッド１の厚さ方向に対して垂直な仮想平面であって、展開状態の尿取りパッド１が具備する吸収層４の第１層４１及び第２層４２が投影された仮想平面を示す図であり、図６は、第１仮想平面Ｐ1〜第４仮想平面Ｐ4によって区画された尿取りパッド１の９つの部分（第１部分１０ａ〜第９部分１０ｉ）及び当該９つの部分に含まれる吸収層４の９つの部分（第１部分４０ａ〜第９部分４０ｉ）を説明するための図である。
【００３２】
図１〜図６に示される互いに直交するＸ方向、Ｙ方向及びＺ方向は、それぞれ、展開状態の尿取りパッド１並びにその構成部材であるトップシート２、バックシート３及び吸収層４の長手方向、短手方向及び厚さ方向と一致する。なお、本明細書において、Ｘ方向の寸法を「長さ」、Ｙ方向の寸法を「幅」、Ｚ方向の寸法を「厚さ」という。
【００３３】
図１に示されるように、展開状態の尿取りパッド１は、尿取りパッド１の長手方向に並ぶ腹側部１１、股間部１２及び背側部１３を有する。着用者が尿取りパッド１を着用する際、腹側部１１は着用者の腹部に当てられ、股間部１２は着用者の股間部に当てられ、背側部１３は着用者の尻部及び／又は背部に当てられる。
【００３４】
尿取りパッド１は、トップシート２側の表面が内側（着用者の肌側）に位置し、バックシート３側の表面が外側（着用者が着衣を身に着けている場合には着衣側）に位置するように着用される。着用者から排泄された尿は、トップシート２を通じて吸収層４に浸透し、吸収層４に吸収・保持される。吸収層４に吸収・保持される尿の漏れは、バックシート３によって防止される。
【００３５】
トップシート２は、着用者から排泄された尿が透過可能な液透過性シートである。図１〜図４に示されるように、トップシート２は、畝部２１１（凸部の一例）が形成された肌当接面２１を有する。トップシート２の肌当接面２１は、着用者が尿取りパッド１を着用する際、着用者の肌と当接する面であり、着用者が尿を排泄する際、尿の供給を受ける面である。なお、肌当接面２１は、トップシート２の両面のうち、吸収層４が配置される面の反対側の面に位置する。
【００３６】
図１〜図４に示されるように、尿取りパッド１の長手方向に延在する複数の畝部２１１は、尿取りパッド１の短手方向に略等間隔で並んでおり、隣り合う２つの畝部２１１の間には１つの溝部２１２が形成されている。これにより、肌当接面２１には、尿取りパッド１の長手方向に延在する複数の畝部２１１と、尿取りパッド１の長手方向に延在する複数の溝部２１２とからなる畝溝構造２１０が形成されている。なお、図１及び図２では、畝溝構造２１０の一部が省略されている。但し、このような条件は、本発明に係る尿取りパッドにおいて必須ではない。したがって、本発明に係る尿取りパッドは、別の実施形態として、畝部２１１及び溝部２１２が尿取りパッド１の長手方向以外の方向に延在する実施形態（例えば、畝部２１１及び溝部２１２が尿取りパッド１の短手方向に延在し、尿取りパッド１の長手方向に並ぶ実施形態）、畝部２１１及び溝部２１２の少なくとも一方が尿取りパッド１の長手方向に断続的に延在する実施形態、畝部２１１及び溝部２１２が方向を変化させながら（例えば、波状）延在する実施形態、隣り合う２つの畝部２１１の間に２つ以上の溝部２１２が配置される実施形態、隣り合う２つの畝部２１１の間隔が一定ではない実施形態、隣り合う２つの溝部２１２の間隔が一定ではない実施形態、並びに、これらの実施形態のうち並立し得る２以上を組み合わせた実施形態を包含する。なお、畝部２１１及び溝部２１２が尿取りパッド１の長手方向に延在する本実施形態は、トップシート２に供給された尿が畝部２１１及び溝部２１２に沿って尿取りパッド１の長手方向に広がりやすいので、尿取りパッド１の短手方向への尿の広がり及びこれに起因する尿取りパッド１からの尿の漏れを防止することができる点で有利である。
【００３７】
図３及び図４に示されるように、畝部２１１の表面は曲面であり、畝部２１１の断面形状は表面に向かって略逆Ｕ字型形状である。但し、このような条件は、本発明に係る尿取りパッドにおいて必須ではない。したがって、本発明に係る尿取りパッドは、別の実施形態として、畝部２１１の断面形状が台形状、三角状等である実施形態を包含する。なお、本実施形態を含め、畝部２１１が底部から頂部に向けて先細りとなる実施形態は、尿取りパッド１に加えられた力（例えば、着用者の体圧）によって畝部２１１が潰れても、溝部２１２の空間を維持することができる点で有利である。
【００３８】
図４に示されるように、畝部２１１は、厚さＴ１を有し、溝部２１２は厚さＴ２を有する。畝部２１１の厚さＴ１は、通常０．３〜１．５ｍｍ、好ましくは０．６〜１．４ｍｍ、さらに好ましくは０．８〜１．２ｍｍであり、溝部２１２の厚さＴ２は、通常０．１〜０．５ｍｍ、好ましくは０．２〜０．４ｍｍ、さらに好ましくは０．２〜０．３ｍｍである。なお、畝部及び溝部の厚さの測定は、尿取りパッドから切り出した１００ｍｍ×１００ｍｍのトップシートサンプルと、レーザー変位計（例えば、キーエンス株式会社製  高精度２次元レーザー変位計ＬＪ−Ｇシリーズ（型式：ＬＪ−Ｇ０３０））とを使用して、次のように非接触方式で実施される。トップシートサンプルを水平の測定台の上に置き、異なる５つの畝部について、測定台からの変位をレーザー変位計で測定し、５つの測定値の平均値を畝部の厚み（ｍｍ）とする。同様に、異なる５つの溝部について、測定台からの変位をレーザー変位計で計測し、５つの測定値の平均値を溝部の厚み（ｍｍ）とする。
【００３９】
図４に示されるように、畝部２１１は幅Ｗ１を有し、溝部２１２は幅Ｗ２を有する。畝部２１１の幅Ｗ１は、通常２．０〜５．０ｍｍ、好ましくは３．０〜４．０ｍｍであり、溝部２１２の幅Ｗ２は、通常１．０〜３．０ｍｍ、好ましくは１．０〜２．０ｍｍである。隣り合う２つの畝部２１１の間隔は、通常、溝部の幅Ｗ２と等しく、隣り合う２つの溝部２１２の間隔は、通常、畝部２１１の幅と等しい。畝部２１１の幅Ｗ１は、無加圧状態におけるトップシート２の平面写真又は平面画像に基づいて、畝部２１１と、その両側に位置する２つの溝部２１２との境界線間の距離として測定される。溝部２１２の幅Ｗ２も同様である。
【００４０】
本実施形態では、畝部２１１の厚さＴ１及び幅Ｗ１がどの畝部でも略同一である。溝部２１２の厚さＴ２及び幅Ｗ２も同様である。但し、このような条件は、本発明に係る尿取りパッドにおいて必須ではない。したがって、本発明に係る尿取りパッドは、別の実施形態として、厚さ及び幅が異なる畝部２１１が存在する実施形態、並びに、厚さ及び幅が異なる溝部２１２が存在する実施形態を包含する。
【００４１】
トップシート２として使用される液透過性シートは、エアスルー不織布である。畝溝構造２１０が形成されたエアスルー不織布は、例えば、熱可塑性樹脂繊維を含有するウェブ（フリース）に畝溝構造２１０を形成した後、熱風を吹き付けてウェブ中の熱可塑性樹脂繊維同士の交差部分を熱融着させることにより製造することができる。
【００４２】
ウェブに畝溝構造２１０を形成する方法としては、例えば、特開２００８−２５０７９号公報、特開２００８−２３３２６号公報、特開２００９−３０２１８号公報等に記載の方法が挙げられる。これらの方法によれば、ウェブを通気性支持部材（例えば、網状支持部材）に載置し、通気性支持部材を所定方向に移動させながら、ウェブの上面に連続的に気体（通常はエア）を吹き付けることにより、ウェブに畝溝構造２１０を形成することができる。なお、気体が吹き付けられた領域には、通気性支持部材の移動方向に延在する溝部２１２が形成されるとともに、隣り合う２つの溝部２１２の間に畝部２１１が形成される。この際、気体が吹き付けられた領域の繊維が溝部２１２の両側に移動するので、畝部２１１の坪量は、通常、溝部２１２の坪量よりも高くなる。畝部２１１及び溝部２１２の数、間隔、坪量、繊維密度等は、ノズルの数、口径及びピッチ、ノズルから噴射される気体の温度及び噴射量、ウェブのテンション等を調整することにより、所望の範囲に調整することができる。
【００４３】
ウェブに含有される熱可塑性樹脂繊維を構成する熱可塑性樹脂としては、例えば、ポリオレフィン、ポリエステル、ポリアミド等が挙げられる。ポリオレフィンとしては、例えば、直鎖低密度ポリエチレン（ＬＬＤＰＥ）、低密度ポリエチレン（ＬＤＰＥ）、中密度ポリエチレン（ＭＤＰＥ）、高密度ポリエチレン（ＨＤＰＥ）、ポリプロピレン、ポリブチレン、これらを主体とした共重合体（例えば、エチレン−酢酸ビニル共重合体（ＥＶＡ）、エチレン−アクリル酸エチル共重合体（ＥＥＡ）、エチレン−アクリル酸共重合体（ＥＡＡ）、アイオノマー樹脂）等が挙げられる。ポリエステルとしては、例えば、ポリエチレンタレフタレート（ＰＥＴ）、ポリトリメチレテレフタレート（ＰＴＴ）、ポリブチレンテレタレート（ＰＢＴ）、ポリ乳酸、ポリグリコール酸をはじめとする直鎖状又は分岐状の炭素数２０までのポリヒドロキシアルカン酸等のポリエステル、これらを主体とした共重合体、アルキレンテレフタレートを主成分として他の成分を少量共重合してなる共重合ポリエステル等が挙げられる。ポリアミドとしては、例えば、６−ナイロン、６，６−ナイロン等が挙げられる。熱可塑性樹脂繊維は、親水化処理されていることが好ましい。熱可塑性樹脂繊維の親水化処理としては、例えば、界面活性剤、親水剤等を利用した処理（例えば、繊維内部への界面活性剤の練り込み、繊維表面への界面活性剤の塗布等）、プラズマ加工等が挙げられる。
【００４４】
熱可塑性樹脂繊維は、１種類の熱可塑性樹脂で構成されてもよいが、２種類以上の熱可塑性樹脂を含有する複合繊維であることが好ましい。好ましい複合繊維は、芯鞘型複合繊維である。芯鞘型複合繊維の鞘成分を形成する熱可塑性樹脂としては、融点が芯成分を形成する熱可塑性樹脂の融点よりも低い熱可塑性樹脂が選択される。芯鞘型複合繊維の芯成分及び鞘成分を形成する熱可塑性樹脂としては、例えば、ポリエチレン、ポリプロピレン等のオレフィン系樹脂、ナイロン等のポリアミド系樹脂、ポリエステル系樹脂、ポリアクリロニトリル系樹脂等が挙げられる。鞘成分を形成する熱可塑性樹脂は、好ましくはポリエチレン（例えば、高密度ポリエチレン、低密度ポリエチレン、直鎖状低密度ポリエチレン、これらのポリエチレンの混合物等）であり、芯成分を形成する熱可塑性樹脂は、好ましくはポリプロピレン及びポリエステルである。芯鞘型複合繊維は、芯成分と鞘成分との中心位置がほぼ一致しており、加熱に起因するスパイラル状の捲縮を発現しないものが好ましい。
【００４５】
本実施形態における畝部２１１（尿取りパッド１の長手方向に延在する凸条部）は、凸部の一例であり、トップシート２の肌当接面に形成される凸部は、畝部２１１に限定されるものではない。本発明に係る尿取りパッドは、別の実施形態として、多数の凸部が形成された肌当接面を有する不織布がトップシート２として使用される実施形態を包含する。多数の凸部が形成された肌当接面を有する不織布において、凸部が形成された部分の厚さ（不織布の下面から凸部の頂部までの距離）、凸部が形成されていない部分（凹部）の厚さ（不織布の下面から凹部の最深部までの距離）、凸部のピッチ（隣り合う２つの凸部の頂部間の距離）等は、凹凸構造の機能（例えば、液透過性の向上、肌触りの向上等）を考慮して、適宜調整することができる。多数の凸部が形成された肌当接面を有する不織布を製造する方法としては、ギア延伸を利用する方法、熱伸長性繊維の熱伸長及び／又は熱収縮性繊維の熱収縮を利用する方法等が挙げられる。
【００４６】
ギア延伸を利用する方法としては、例えば、特開２００４−１７４２３４号公報、特開２００９−１６００３５号公報、特開２００９−２０１９６４号公報等に記載の方法が挙げられる。これらの方法によれば、第１不織布層をギア延伸によって凹凸賦形した後、凸部以外の部分において第２不織布層と部分的に接合させることにより、多数の凸部が形成された肌当接面を有する不織布を製造することができる。こうして製造された不織布における凸部は、肌当接面側に隆起しており、内部が空洞となっている。凸部の形状としては、例えば、稜線が丸みを帯びた扁平な直方体又は截頭四角錐体、頂点が丸みを帯びた角錐状（例えば、三角錐状、四角錐状等）、頂点が丸みを帯びた円錐状、アーチ状等が挙げられる。凸部は、例えば、平面視千鳥格子状となるように配置することができる。凸部が千鳥格子状に配置される場合、隣り合う２つの凸部の間には１つの凹部が位置する（すなわち、１つの凸部の周囲には４つの凹部が位置する）。第１不織布層及び第２不織布層として使用される不織布としては、例えば、スパンボンド不織布、ポイントボンド不織布、スパンレース不織布、ニードルパンチ不織布、メルトブローン不織布、及びこれらの組み合わせ（例えば、スパンボンド・メルトブロー・スパンボンド（ＳＭＳ）不織布等）等が挙げられる。第１不織布層と第２不織布層との接合は、例えば、第１不織布層及び／又は第２不織布層に含有される熱可塑性樹脂繊維の熱融着によって実施することができる。熱可塑性樹脂繊維の意義及び具体例は上記と同様である。
【００４７】
熱伸長性繊維の熱伸長及び熱収縮性繊維の熱収縮を利用する方法としては、例えば、特開２０１２−５７０１号公報等に記載の方法が挙げられる。この方法によれば、熱伸長性繊維層を肌当接面側に有するとともに、接合部によって熱伸長性繊維層と部分的に接合された熱収縮性繊維層を非肌当接面側に有する積層シートを加熱処理し、熱伸長性繊維層の熱伸長及び熱収縮性繊維層の熱収縮によって熱伸長性繊維層を肌当接面側に隆起させることにより、多数の凸部が形成された肌当接面を有する不織布を製造することができる。熱伸長性繊維層に含有される熱伸長性繊維は、加熱処理により実際の繊維長が伸長する繊維（例えば、樹脂の結晶状態が変化して実際の繊維長が伸長する繊維）であってもよいし、加熱処理により実際の繊維長は伸長しないが、見かけ上の繊維長が伸長する繊維（例えば、発現していたジクザク状、Ω状、スパイラル状等の捲縮が解除されて見かけ上の繊維長が伸長する捲縮繊維）であってもよい。様々な熱伸長性繊維が公知であり（例えば、特開２００４−２１８１８３号公報、特開２００５−３５０８３６号公報、特開２００７−３０３０３５号公報、特開２００７−２０４８９９号公報、特開２００７−２０４９０１号公報、特開２００７−２０４９０２号公報、特開２００８−１０１２８５号公報等）、適宜選択して使用することができる。熱収縮性繊維層に含有される熱収縮性繊維は、加熱処理により実際の繊維長が短くなる繊維であってもよいし、加熱処理により実際の繊維長は短くならないが、見かけ上の繊維長が短くなる繊維（例えば、ジクザク状、Ω状、スパイラル状の捲縮を発現して見かけ上の繊維長が短くなる潜在捲縮性繊維）であってもよい。様々な熱収縮性繊維が公知であり（例えば、特開平９−２９６３２５号公報、特開平２−１９１７２０号公報、特開２００７−１７７３３５号公報）、適宜選択して使用することができる。熱伸長性繊維層と熱収縮性繊維層とを部分的に接合する接合部は、例えば、ヒートエンボス処理によって形成された凹部である。接合部は、例えば、平面視千鳥格子状に配置することができる。複数の接合部によって囲まれた１つの領域が、これらの接合部を起点として肌当接面側に隆起することにより、１つの凸部が形成されるので、接合部の数、位置等は、凸部の形成性、嵩高性等を考慮して適宜調整される。
【００４８】
熱収縮性繊維の熱収縮を利用する方法としては、例えば、特開２００２−１８７２２８号公報、特開２００３−２４７１５５号公報、特開２００７−１７７３４０号公報等に記載の方法が挙げられる。これらの方法によれば、非熱収縮性繊維層を肌当接面側に有するとともに、接合部によって非熱収縮性繊維層と部分的に接合された熱収縮性繊維層を非肌当接面側に有する積層シートを加熱処理し、熱収縮性繊維層の熱収縮によって非熱収縮性繊維層を肌当接面側に隆起させることにより、多数の凸部が形成された肌当接面を有する不織布を製造することができる。非熱収縮性繊維層に含有される非熱収縮性繊維は、実質的に熱収縮性を有しない繊維であってもよいし、熱収縮性を有するが、その熱収縮開始温度が、熱収縮性繊維層に含有される熱収縮性繊維の熱収縮開始温度よりも高い繊維（すなわち、熱収縮性繊維層に含有される熱収縮性繊維の熱収縮開始温度以下の温度で実質的に熱収縮しない繊維）であってもよい。非熱収縮性繊維としては、例えば、レーヨン等の再生繊維；アセテート等の半合成繊維；綿、ウール等の天然繊維；ポリオレフィン（例えば、ポリエチレン、ポリプロピレン等）、ポリエステル（例えば、ポリエチレンテレフタレート等）、ポリアミド等の熱可塑性樹脂繊維等が挙げられる。熱収縮性繊維及び接合部の意義及び具体例は上記と同様である。
【００４９】
熱伸長性繊維の熱伸長を利用する方法としては、例えば、特開２００５−３５０８３６号公報、特開２０１０−１６８７１５号公報等に記載の方法が挙げられる。これらの方法によれば、熱伸長性繊維層を肌当接面側に有するとともに、接合部によって熱伸長性繊維層と部分的に接合された非熱伸長性繊維層を非肌当接面側に有する積層シートを加熱処理し、熱伸長性繊維層の熱伸長によって熱伸長性繊維層を肌当接面側に隆起させることにより、多数の凸部が形成された肌当接面を有する不織布を製造することができる。非熱伸長性繊維層に含有される非熱伸長性繊維は、実質的に熱伸長性を有しない繊維であってもよいし、熱伸長性を有するが、その熱伸長開始温度が、熱伸長性繊維層に含有される熱伸長性繊維の熱伸長開始温度よりも高い繊維（すなわち、熱伸長性繊維層に含有される熱伸長性繊維の熱伸長開始温度以下の温度で実質的に熱伸長しない繊維）であってもよい。非熱伸長性繊維としては、例えば、レーヨン等の再生繊維；アセテート等の半合成繊維；綿、ウール等の天然繊維；ポリオレフィン（例えば、ポリエチレン、ポリプロピレン等）、ポリエステル（例えば、ポリエチレンテレフタレート等）、ポリアミド等の熱可塑性樹脂繊維等が挙げられる。熱伸長性繊維及び接合部の意義及び具体例は上記と同様である。
【００５０】
トップシート２の坪量は、肌触り等を考慮して適宜調整することができる。エアスルー不織布の坪量は、通常２０〜４０ｇ／ｍ2、好ましくは２５〜３５ｇ／ｍ2である。
【００５１】
トップシート２の隠ぺい性を高める観点から、トップシート２に酸化チタン、硫酸バリウム、炭酸カルシウム等の無機フィラーを含有させることができる。トップシート２が芯鞘型複合繊維を含む場合、無機フィラーは、芯成分及び鞘成分のうちの一方又は両方に含有させることができる。
【００５２】
本実施形態において、トップシート２と吸収層４との間に別の液透過性シートは介在していないが、このような条件は、本発明に係る尿取りパッドにおいて必須ではない。したがって、本発明に係る尿取りパッドは、別の実施形態として、トップシート２と吸収層４との間に別の液透過性シートが配置された実施形態を包含する。トップシート２以外の液透過性シートとしては、例えば、トップシート２及び吸収層４の間に配置されたセカンドシートが挙げられる。セカンドシートとして使用される液透過性シートとしては、例えば、不織布、織布、液体透過孔が形成された合成樹脂フィルム等が挙げられるが、これらのうち不織布が好ましい。
【００５３】
バックシート３は、吸収層４に吸収・保持される尿の漏れを防止可能な液不透過性シートである。液不透過性シートとしては、例えば、防水処理を施した不織布（例えば、ポイントボンド不織布、スパンボンド不織布、スパンレース不織布等）、合成樹脂（例えば、ポリエチレン、ポリプロピレン、ポリエチレンテレフタレート等）フィルム、不織布と合成樹脂フィルムとの複合シート等が挙げられる。本実施形態において、バックシート３と吸収層４との間に別の液不透過性シートは介在していないが、このような条件は、本発明に係る尿取りパッドにおいて必須ではない。したがって、本発明に係る尿取りパッドは、本実施形態以外の実施形態として、バックシート３と吸収層４との間に別の液不透過性シートが配置された実施形態を包含する。
【００５４】
バックシート３の材料、厚さ、坪量等は、吸収層４に吸収・保持される尿の漏れを防止可能な範囲で適宜調整することができる。バックシート３は、着用時のムレを低減させるために、液不透過性に加えて、通気性又は透湿性を有することが好ましい。
【００５５】
トップシート２及びバックシート３は、互いに重なり合う周縁部で接合されている。接合様式としては、例えば、ヒートエンボス処理による接合、超音波エンボス処理による接合、ホットメルト型接着剤による接合等が挙げられる。
【００５６】
図１〜図３に示されるように、吸収層４は、トップシート２及びバックシート３の間に配置されている。図１に示されるように、吸収層４は、腹側部１１から股間部１２を通じて背側部１３に至るように配置されている。
【００５７】
図１〜図３に示されるように、吸収層４は、第１層４１及び第２層４２を有する。但し、このような条件は、本発明に係る尿取りパッドにおいて必須ではない。したがって、本発明に係る尿取りパッドは、別の実施形態として、吸収層４が単一層で構成される実施形態、並びに、吸収層４が第１層４１及び第２層４２以外の１又は２以上の層を有する実施形態を包含する。
【００５８】
図１〜図３に示されるように、第１層４１には、第１層４１を厚さ方向に貫通する貫通孔５１が形成されており、第２層４２には、第２層４２を厚さ方向に貫通する貫通孔５２が形成されている。図１に示されるように、貫通孔５１及び５２は、尿取りパッド１の股間部１２に位置しているとともに、尿取りパッド１の短手方向略中央において尿取りパッド１の長手方向に延在している。図１〜図３に示されるように、第１層４１及び第２層４２は、貫通孔５１及び５２の位置が一致するように（すなわち、貫通孔５１及び５２が互いに通じるように）積層されており、これにより、吸収層４を厚み方向に貫通する貫通孔５が、貫通孔５１及び５２によって形成されている。したがって、図１に示されるように、貫通孔５は、貫通孔５１及び５２と同様、尿取りパッド１の股間部１２に位置しているとともに、尿取りパッド１の短手方向略中央において尿取りパッドの長手方向に延在している。このため、貫通孔５の位置が、着用者の陰部（尿排泄口）の位置と一致しやすくなり、着用者に対する尿取りパッド１のフィット性が向上する。また、着用者の陰部（尿排泄口）が当接する部分が湿潤状態となりにくくなるため、着用者の不快感が防止される。
【００５９】
本発明に係る尿取りパッドは、貫通孔５の代わりに、トップシート２側に開口する凹部が吸収層４に形成される実施形態を包含する。トップシート２側に開口する凹部を有する吸収層４は、例えば、貫通孔５１を有する第１層４１と、貫通孔５２を有しない第２層４２とを積層することによって形成することができる。
【００６０】
図１及び図２に示されるように、第１層４１の平面視形状は、長手方向の略中央がくびれた瓢箪状であり、第２層４２の平面視形状は、略矩形状である。但し、このような条件は、本発明に係る尿取りパッドにおいて必須ではない。したがって、本発明に係る尿取りパッドは、別の実施形態として、第１層４１が瓢箪状以外の形状であり、第２層４２が矩形状以外の形状である実施形態を包含する。
【００６１】
図１〜図３及び図５に示されるように、第１層４１の長手方向一方側の端縁部４１１は、第２層４２の長手方向一方側の端縁部４２１とほぼ一致しており、第１層４１の長手方向他方側の端縁部４１２は、第２層４２の長手方向他方側の端縁部４２２とほぼ一致している。一方、第１層４１の短手方向一方側の端縁部４１３は、第２層４２の短手方向一方側の端縁部４２３よりも短手方向外側に位置しており、第１層４１の短手方向他方側の端縁部４１４は、第２層４２の短手方向他方側の端縁部４２４よりも短手方向外側に位置している。このように、第２層４２の端縁部４２１，４２２は、第１層４１の端縁部４１１，４１２と一致し、第２層４２の端縁部４２３，４２４は、第１層４１の端縁部４１３，４１４よりも内側に位置しているので、吸収層４の平面視形状は、第１層４１の平面視形状と一致する。すなわち、吸収層４の平面視形状は、長手方向の略中央がくびれた瓢箪状である。これにより、吸収層４のくびれた部分が着用者の股間にフィットしやすくなり、吸収層４の位置が着用者の股間の位置と一致しやすくなる。但し、このような条件は、本発明に係る尿取りパッドにおいて必須ではない。したがって、本発明に係る尿取りパッドは、第１層４１の端縁部４１１，４１２の少なくとも一方が、対応する第２層４２の端縁部よりも長手方向に延在している実施形態、並びに、第２層４２の端縁部４２１，４２２の少なくとも一方が、対応する第１層４１の端縁部よりも長手方向に延在している実施形態を包含する。
【００６２】
本実施形態において、第１層４１の端縁部４１３と第２層４２の端縁部４２３との位置関係、及び、第１層４１の端縁部４１４と第２層４２の端縁部４２４との位置関係は、次のようにして設定される。
【００６３】
図５に示される仮想平面において、貫通孔５１の周縁上の点のうち最も第１層４１の端縁部４１１側に位置する点を通ってＹ方向に延在する仮想直線をＬPとし、貫通孔５１の開口部上の点のうち最も第１層４１の端縁部４１２側に位置する点を通ってＹ方向に延在する仮想直線をＬQとし、貫通孔５１の周縁上の点のうち最も第１層４１の端縁部４１３側に位置する点を通ってＸ方向に延在する仮想直線をＬRとし、貫通孔５１の周縁上の点のうち最も第１層４１の端縁部４１４側に位置する点を通ってＸ方向に延在する仮想直線をＬSとし、仮想直線ＬPと仮想直線ＬRとの交点をＩPRとし、仮想直線ＬQと仮想直線ＬRとの交点をＩQRとし、仮想直線ＬPと仮想直線ＬSとの交点をＩPSとし、仮想直線ＬQと仮想直線ＬSとの交点をＩQSとする。
【００６４】
図５に示される仮想平面において、点ＩPR及び点ＩQRを両端とする線分上の任意の点から、当該任意の点を通ってＹ方向に延在する仮想直線が第１層４１の端縁部４１３と交差する点までの距離をＤ1とする。本実施形態において、第１層４１の端縁部４１３のうち、仮想直線ＬPと交差する点から仮想直線ＬQと交差する点まで延在する部分（すなわち、第１層４１のくびれ部分の一方側の端縁部）は、仮想直線ＬRと略平行である。したがって、仮想直線ＬRと第１層４１の端縁部４１３との距離Ｄ1は略一定である。仮想直線ＬRと第１層４１の端縁部４１３との距離Ｄ1は、通常４０〜１００ｍｍ、好ましくは５０〜７０ｍｍである。
【００６５】
図５に示される仮想平面において、点ＩPR及び点ＩQRを両端とする線分上の任意の点から、当該任意の点を通ってＹ方向に延在する仮想直線が第２層４２の端縁部４２３と交差する点までの距離をＤ2とする。本実施形態において、第２層４２は平面視略矩形状であるので、第２層４２の端縁部４２３のうち、仮想直線ＬPと交差する点から仮想直線ＬQと交差する点まで延在する部分は、仮想直線ＬRと略平行である。したがって、仮想直線ＬRと第２層４２の端縁部４２３との距離Ｄ2は略一定である。仮想直線ＬRと第２層４２の端縁部４２３との距離Ｄ2は、通常３０〜９０ｍｍ、好ましくは４０〜６０ｍｍである。
【００６６】
図５に示される仮想平面において、点ＩPS及び点ＩQSを両端とする線分上の任意の点から、当該任意の点を通ってＹ方向に延在する仮想直線が第１層４１の端縁部４１４と交差する点までの距離をＤ3とする。本実施形態において、第１層４１の端縁部４１４のうち、仮想直線ＬPと交差する点から仮想直線ＬQと交差する点まで延在する部分（すなわち、第１層４１のくびれ部分の他方側の端縁部）は、仮想直線ＬSと略平行である。したがって、仮想直線ＬSと第１層４１の端縁部４１４との距離Ｄ3は略一定である。仮想直線ＬSと第１層４１の端縁部４１４との距離Ｄ3は、通常４０〜１００ｍｍ、好ましくは５０〜７０ｍｍである。
【００６７】
図５に示される仮想平面において、点ＩPS及び点ＩQSを両端とする線分上の任意の点から、当該任意の点を通ってＹ方向に延在する仮想直線が第２層４２の端縁部４２４と交差する点までの距離をＤ4とする。本実施形態において、第２層４２は平面視略矩形状であるので、第２層４２の端縁部４２４のうち、仮想直線ＬPと交差する点から仮想直線ＬQと交差する点まで延在する部分は、仮想直線ＬSと略平行である。したがって、仮想直線ＬSと第２層４２の端縁部４２４との距離Ｄ4は略一定である。仮想直線ＬSと第２層４２の端縁部４２４との距離Ｄ4は、通常３０〜９０ｍｍ、好ましくは４０〜６０ｍｍである。
【００６８】
上記条件の下、第１層４１の端縁部４１３と第２層４２の端縁部４２３との位置関係は、Ｄ2＞Ｄ1／２を満たすように設定され、第１層４１の端縁部４１４と第２層４２の端縁部４２４との位置関係は、Ｄ4＞Ｄ3／２を満たすように設定される。なお、本実施形態は、図５に示されるように、これらの条件を満たす。
【００６９】
本実施形態と異なり、距離Ｄ1が変動する場合（例えば、第１層４１の端縁部４１３のうち、仮想直線ＬPと交差する点から仮想直線ＬQと交差する点まで延在する部分が、仮想直線ＬRと略平行ではない場合）、距離Ｄ2が変動する場合（例えば、第２層４２の端縁部４２３のうち、仮想直線ＬPと交差する点から仮想直線ＬQと交差する点まで延在する部分が、仮想直線ＬRと略平行ではない場合）、距離Ｄ3が変動する場合（例えば、第１層４１の端縁部４１４のうち、仮想直線ＬPと交差する点から仮想直線ＬQと交差する点まで延在する部分が、仮想直線ＬSと略平行ではない場合）、又は距離Ｄ4が変動する場合（例えば、第２層４２の端縁部４２４のうち、仮想直線ＬPと交差する点から仮想直線ＬQと交差する点まで延在する部分が、仮想直線ＬSと略平行ではない場合）、第１層４１の端縁部４１３と第２層４２の端縁部４２３との位置関係、及び、第１層４１の端縁部４１４と第２層４２の端縁部４２４との位置関係は、次のようにして設定される。
【００７０】
仮想直線ＬRと第１層４１の端縁部４１３との距離Ｄ1の最大値及び最小値をそれぞれＤ1(max)及びＤ1(min)とし、仮想直線ＬRと第２層４２の端縁部４２３との距離Ｄ2の最大値及び最小値をそれぞれＤ2(max)及びＤ2(min)とし、仮想直線ＬSと第１層４１の端縁部４１４との距離Ｄ3の最大値及び最小値をそれぞれＤ3(max)及びＤ3(min)とし、仮想直線ＬSと第２層４２の端縁部４２４との距離Ｄ4の最大値及び最小値をそれぞれＤ4(max)及びＤ4(min)とする。
【００７１】
上記条件の下、第１層４１の端縁部４１３と第２層４２の端縁部４２３との位置関係は、Ｄ2(max)＞Ｄ1(max)／２を満たすように設定され、第１層４１の端縁部４１４と第２層４２の端縁部４２４との位置関係は、Ｄ4(max)＞Ｄ3(max)／２を満たすように設定される。好ましくは、第１層４１の端縁部４１３と第２層４２の端縁部４２３との位置関係は、Ｄ2(max)＞Ｄ1(max)／２及びＤ2(min)＞Ｄ1(max)／２を満たすように設定され、第１層４１の端縁部４１４と第２層４２の端縁部４２４との位置関係は、Ｄ4(max)＞Ｄ3(max)／２及びＤ4(min)＞Ｄ3(max)／２を満たすように設定される。
【００７２】
第１層４１及び第２層４２の厚さ、坪量等は、尿取りパッド１が備えるべき特性（例えば、尿の吸収量等）に基づいて適宜調整することができる。第１層４１の厚さは、通常１．５〜５．０ｍｍ、好ましくは２．５〜３．５ｍｍであり、坪量は、通常１５０〜４００ｇ／ｍ2、好ましくは２００〜３００ｇ／ｍ22である。第２層４２の厚さは、通常１．５〜５．０ｍｍ、好ましくは２．５〜３．５ｍｍであり、坪量は、通常１５０〜４００ｇ／ｍ2、好ましくは２００〜３００ｇ／ｍ2である。なお、吸収層の厚さの測定は、尿取りパッドから切り出した１００ｍｍ×１００ｍｍの吸収層サンプルと、市販の厚さ測定器（例えば、ＰＥＡＣＯＣＫ社製ＪＡ２５７，測定面５０ｍｍ（直径），測定圧３ｇ／ｃｍ2）とを使用して、次のように実施される。厚さ測定器により、吸収層サンプルの異なる５つの部位を定圧３ｇ／ｃｍ2で加圧し、各部位における加圧１０秒後の厚みを測定し、５つの測定値の平均値を厚み（ｍｍ）とする。
【００７３】
貫通孔５１及び５２の長さ、幅等は、第１層４１及び第２層４２のサイズ等に基づいて適宜調整することができる。貫通孔５１の幅は、通常５．０〜５０ｍｍ、好ましくは１０〜２０ｍｍである。貫通孔５２の幅は、貫通孔５１の幅と等しいか又はそれよりも狭く、通常５．０〜４０ｍｍ、好ましくは１０〜１５ｍｍである。貫通孔５１の長さは、通常５０〜３００ｍｍ、好ましくは５０〜２００ｍｍ、さらに好ましくは５０〜１５０ｍｍである。貫通孔５２の長さは、貫通孔５１の長さと等しいか又はそれよりも短く、通常３０〜２５０ｍｍ、好ましくは３０〜１５０ｍｍである。貫通孔５１の幅及び長さが、貫通孔５２の幅及び長さと等しいか又はそれよりも大きいことにより、第１層４１及び第２層４２を積層する工程で多少のずれが生じたとしても、吸収層４のトップシート２側表面からみた貫通孔５の大きさがほぼ一定に保たれる。また、貫通孔５の内壁面に段差が生じ、貫通孔５の内表面積が大きくなるので、貫通孔５が形成された部分における吸収層４の尿吸収能が向上する。
【００７４】
図３に示されるように、貫通孔５１の幅は、第１層４１のトップシート２側表面からバックシート３側表面に至るまで略一定である。同様に、貫通孔５２の幅は、第２層４２のトップシート２側表面からバックシート３側表面に至るまで略一定である。但し、このような条件は、本発明に係る尿取りパッドにおいて必須ではない。したがって、本発明に係る尿取りパッドは、別の実施形態として、貫通孔５１の幅及び貫通孔５２の幅のうち一方又は両方が、第１層４１のトップシート２側表面からバックシート３側表面に向けて狭くなる又は広くなる実施形態を包含する。
【００７５】
サイズが大きい第１層４１が、サイズが小さい第２層４２よりもトップシート２側に位置する本実施形態では、着用者が、第１層４１及び第２層４２のサイズ差に起因する段差を感じにくく、尿取りパッド１の装着感が向上する。但し、このような条件は、本発明に係る尿取りパッドにおいて必須ではない。したがって、本発明に係る尿取りパッドは、別の実施形態として、第２層４２が第１層４１よりもトップシート２側に位置する実施形態を包含する。
【００７６】
吸収層４は、第１層４１及び第２層４２が重なる部分によって形成された高坪量部分と、第１層４１のうち第２層４２と重ならない部分によって形成された低坪量部分とを有する。なお、高坪量及び低坪量とは、相対的な坪量の高低を意味する。すなわち、高坪量部分は、低坪量部分よりも坪量が高い部分を意味し、低坪量部分とは、高坪量部分よりも坪量が低い部分を意味する。
【００７７】
吸収層４の第１層４１及び第２層４２は、着用者から排泄された尿を吸収可能な吸収性材料を含有する。吸収性材料としては、例えば、親水性繊維、高吸収性ポリマー等が挙げられる。親水性繊維としては、例えば、針葉樹又は広葉樹を原料として得られる木材パルプ（例えば、砕木パルプ、リファイナーグランドパルプ、サーモメカニカルパルプ、ケミサーモメカニカルパルプ等の機械パルプ；クラフトパルプ、サルファイドパルプ、アルカリパルプ等の化学パルプ；半化学パルプ等）；木材パルプに化学処理を施して得られるマーセル化パルプ又は架橋パルプ；バガス、ケナフ、竹、麻、綿（例えばコットンリンター）等の非木材パルプ；レーヨン、フィブリルレーヨン等の再生セルロース；アセテート、トリアセテート等の半合成セルロース等が挙げられるが、これらのうち、コストが低く、成形しやすいこと点から、粉砕パルプが好ましい。高吸収性ポリマー（Superabsorbent Polymer：ＳＡＰ）としては、例えば、ポリアクリル酸塩系、ポリスルホン酸塩系、無水マレイン酸塩系、ポリアクリルアミド系、ポリビニルアルコール系、ポリエチレンオキシド系、ポリアスパラギン酸塩系、ポリグルタミン酸塩系、ポリアルギン酸塩系、デンプン系、セルロース系等の高吸収性ポリマー；デンプン−アクリル酸（塩）グラフト共重合体、デンプン−アクリロニトリル共重合体のケン化物、ナトリウムカルボキシメチルセルロースの架橋物等のデンプン系又はセルロース系の高吸収性ポリマー等が挙げられるが、これらのうち、ポリアクリル酸塩系（特に、ポリアクリル酸ナトリウム系）の高吸収性ポリマーが好ましい。高吸収性ポリマーの形状としては、例えば、粒子状、繊維状、鱗片状等が挙げられ、粒子状である場合、粒径は、好ましくは５０〜１０００μｍであり、さらに好ましくは１００〜６００μｍである。吸収層４は、吸収性材料に加えて、酸化防止剤、光安定剤、紫外線吸収剤、中和剤、造核剤、エポキシ安定剤、滑剤、抗菌剤、難燃剤、帯電防止剤、顔料、可塑剤等の添加剤を必要に応じて含有してもよい。例えば、吸収層４は、銀、銅、亜鉛、シリカ、活性炭、アルミノケイ酸塩化合物、ゼオライト等を含有することにより、消臭性、抗菌性、吸熱効果等の機能を発揮することができる。
【００７８】
吸収層４は、第１層４１及び第２層４２の間に配置されたティッシュペーパー等の液吸収拡散シートを有していてもよい。第１層４１及び第２層４２の間に液吸収拡散シートが介在していることにより、吸収層４に到達した尿が液吸収拡散シートを伝って拡散することができるので、吸収層４における局所的な尿の飽和の発生を防止することができる。
【００７９】
吸収層４は、第１層４１及び第２層４２を被覆するコアラップを有していてもよい。吸収性材料の層状成形体である第１層４１及び第２層４２をコアラップで被覆することにより、第１層４１及び第２層４２の崩壊を防止することができる。コアラップは、着用者から排泄された尿が透過可能な液透過性シートである。コアラップとしては、例えば、不織布、織布、液体透過孔が形成された合成樹脂フィルム等が挙げられるが、好ましくは不織布である。コアラップは、第１層４１及び第２層４２の表面のうち全体を被覆していてもよいし、一部を被覆していてもよい。
【００８０】
トップシート２と吸収層４との界面（本実施形態では、トップシート２と吸収層４の第１層４１との界面）及びバックシート３と吸収層４との界面（本実施形態では、バックシート３と吸収層４の第２層４２との界面）には、接着剤（例えば、ホットメルト接着剤）が塗工されており、吸収層４の一方の面にはトップシート２が、他方の面にはバックシート３が接合されている。トップシート２から吸収層４への液透過性の観点から、接着剤は、トップシート２と吸収体４との界面全体には塗工されておらず、例えば、ドット、スパイラル、ストライプ等のパターンで塗工されている。接着剤としては、例えば、スチレン−エチレン−ブタジエン−スチレン（ＳＥＢＳ）、スチレン−ブタジエン−スチレン（ＳＢＳ）、スチレン−イソプレン−スチレン（ＳＩＳ）等のゴム系を主体とした、又は直鎖状低密度ポリエチレン等のオレフィン系を主体とした感圧型接着剤又は感熱型接着剤；水溶性高分子（例えば、ポリビニルアルコール、カルボキシルメチルセルロース、ゼラチン等）又は水膨潤性高分子（例えば、ポリビニルアセテート、ポリアクリル酸ナトリウム等）からなる感水性接着剤等が挙げられる。接着剤の塗布方法としては、例えば、スパイラル塗工、コーター塗工、カーテンコーター塗工、サミットガン塗工等が挙げられる。接着剤の塗工量（坪量）は、通常０．５〜２０ｇ／ｍ2、好ましくは２〜１０ｇ／ｍ2である。
【００８１】
図６に示されるように、吸収層４は、以下の仮想平面Ｐ1〜仮想平面Ｐ4：
尿取りパッド１のトップシート２側の表面において尿取りパッド１の長手方向に延在する仮想直線Ｌ1を含み、尿取りパッド１の厚さ方向に延在する仮想平面Ｐ1；
尿取りパッド１のトップシート２側の表面において仮想直線Ｌ1に平行に延在する仮想直線Ｌ2を含み、尿取りパッド１の厚さ方向に延在する仮想平面Ｐ2；
尿取りパッド１のトップシート２側の表面において尿取りパッド１の短手方向に延在する仮想直線Ｌ3を含み、尿取りパッド１の厚さ方向に延在する仮想平面Ｐ3；及び
尿取りパッド１のトップシート２側の表面において仮想直線Ｌ3に平行に延在する仮想直線Ｌ4を含み、尿取りパッド１の厚さ方向に延在する仮想平面Ｐ4
によって区画された以下の第１部分４０ａ〜第９部分４０ｉ：
仮想平面Ｐ1〜仮想平面Ｐ4によって囲まれた第１部分４０ａ；
第１部分４０ａの仮想平面Ｐ1側の端縁部から吸収層４の端縁部まで尿取りパッド１の短手方向に延在する第２部分４０ｂ；
第１部分４０ａの仮想平面Ｐ2側の端縁部から吸収層４の端縁部まで尿取りパッド１の短手方向に延在する第３部分４０ｃ；
第１部分４０ａの仮想平面Ｐ3側の端縁部から吸収層４の端縁部まで尿取りパッド１の長手方向に延在する第４部分４０ｄ；
第１部分４０ａの仮想平面Ｐ4側の端縁部から吸収層４の端縁部まで尿取りパッド１の長手方向に延在する第５部分４０ｅ；
第４部分４０ｄの仮想平面Ｐ1側の端縁部から吸収層４の端縁部まで尿取りパッド１の短手方向に延在する第６部分４０ｆ；
第４部分４０ｄの仮想平面Ｐ2側の端縁部から吸収層４の端縁部まで尿取りパッド１の短手方向に延在する第７部分４０ｇ；
第５部分４０ｅの仮想平面Ｐ1側の端縁部から吸収層４の端縁部まで尿取りパッド１の短手方向に延在する第８部分４０ｈ；及び
第５部分４０ｅの仮想平面Ｐ2側の端縁部から吸収層４の端縁部まで尿取りパッド１の短手方向に延在する第９部分４０ｉ
を有する。なお、吸収層４の第１部分４０ａ、第２部分４０ｂ及び第３部分４０ｃは、尿取りパッド１の股間部１２を形成しており、吸収層４の第４部分４０ｄ、第６部分４０ｆ及び第７部分４０ｇは、尿取りパッド１の腹側部１１を形成しており、吸収層４の第５部分４０ｅ、第８部分４０ｈ及び第９部分４０ｉは、尿取りパッド１の背側部１３を形成している。
【００８２】
吸収層４の第１部分４０ａ〜第９部分４０ｉは、折り畳み状態の尿取りパッド１を説明するために仮想平面Ｐ1〜Ｐ4によって便宜上区画された部分であり、吸収層４の第１部分４０ａ〜第９部分４０ｉのうち隣接する部分同士は、実際には連続している。
【００８３】
本実施形態では、吸収層４が、第１部分４０ａ〜第５部分４０ｅに加えて、第６部分４０ｆ〜第９部分４０ｉを有するが、第６部分４０ｆ〜第９部分４０ｉは、本発明に係る尿取りパッドにおいて必須ではない。したがって、本発明に係る尿取りパッドは、第６部分４０ｆ〜第９部分４０ｉを有しない実施形態、並びに、第６部分４０ｆ〜第９部分４０ｉのうち１又は２以上を有する実施形態（例えば、第６部分４０ｆ及び第７部分４０ｇを有する実施形態、第８部分４０ｈ及び第９部分４０ｉを有する実施形態等）を包含する。
【００８４】
本実施形態において、仮想平面Ｐ1及び仮想平面Ｐ2の位置は、次のようにして設定される。なお、仮想直線Ｌ1及び仮想直線Ｌ2は、仮想平面Ｐ1及び仮想平面Ｐ2と尿取りパッド１のトップシート２側の表面との交線であるので、仮想直線Ｌ1及び仮想直線Ｌ2の位置は、仮想平面Ｐ1及び仮想平面Ｐ2の位置に応じて一義的に設定される。
【００８５】
図５に示される仮想平面において、仮想直線ＬRと仮想平面Ｐ1との距離をＤ5としたとき、仮想平面Ｐ1は、Ｄ2＞Ｄ5＞Ｄ1／２を満たすように設定される。本実施形態は、図５に示されるように、この条件を満たす。仮想平面Ｐ１がこの条件を満たす場合、吸収層４の第２部分４０ｂは、吸収層４の第１部分４０ａの仮想平面Ｐ1側の端縁部から尿取りパッド１の短手方向に延在する高坪量部分と、該高坪量部分から尿取りパッド１の短手方向にさらに延在する低坪量部分とを有する。第２層４２の端縁部４２３と仮想平面Ｐ1との距離（Ｄ2からＤ5を差し引いた値）は、通常１０〜７０ｍｍ、好ましくは１０〜５０ｍｍである。本実施形態では、第２層４２の端縁部４２３の長手方向全域にわたって、このような第２層４２の端縁部４２３と仮想平面Ｐ1との距離が維持されている。したがって、吸収層４の第６部分４０ｆは、吸収層４の第４部分４０ｄの仮想平面Ｐ1側の端縁部から尿取りパッド１の短手方向に延在する高坪量部分と、該高坪量部分から尿取りパッド１の短手方向にさらに延在する低坪量部分とを有する。同様に、吸収層４の第８部分４０ｈも、吸収層４の第４部分４０ｅの仮想平面Ｐ1側の端縁部から尿取りパッド１の短手方向に延在する高坪量部分と、該高坪量部分から尿取りパッド１の短手方向にさらに延在する低坪量部分とを有する。
【００８６】
図５に示される仮想平面において、仮想直線ＬSと仮想平面Ｐ2との距離Ｄ6としたとき、仮想平面Ｐ2は、Ｄ4＞Ｄ6＞Ｄ3／２を満たすように設定される。本実施形態は、図５に示されるように、この条件を満たす。仮想平面Ｐ2がこの条件を満たす場合、吸収層４の第３部分４０ｃは、吸収層４の第１部分４０ａの仮想平面Ｐ2側の端縁部から尿取りパッド１の短手方向に延在する高坪量部分と、該高坪量部分から尿取りパッド１の短手方向にさらに延在する低坪量部分とを有する。第２層４２の端縁部４２４と仮想平面Ｐ2との距離（Ｄ4からＤ6を差し引いた値）は、通常１０〜７０ｍｍ、好ましくは１０〜５０ｍｍである。本実施形態では、第２層４２の端縁部４２４の長手方向全域にわたって、このような第２層４２の端縁部４２４と仮想平面Ｐ2との距離が維持されている。したがって、吸収層４の第７部分４０ｇは、吸収層４の第４部分４０ｄの仮想平面Ｐ2側の端縁部から尿取りパッド１の短手方向に延在する高坪量部分と、該高坪量部分から尿取りパッド１の短手方向にさらに延在する低坪量部分とを有する。同様に、吸収層４の第９部分４０ｉも、吸収層４の第５部分４０ｅの仮想平面Ｐ2側の端縁部から尿取りパッド１の短手方向に延在する高坪量部分と、該高坪量部分から尿取りパッド１の短手方向にさらに延在する低坪量部分とを有する。
【００８７】
本実施形態と異なり、距離Ｄ1及び距離Ｄ2が変動する場合、仮想平面Ｐ1の位置は、Ｄ2(max)＞Ｄ5＞Ｄ1(max)／２を満たすように設定される。仮想平面Ｐ1がこの条件を満たす場合、吸収層４の第２部分４０ｂは、吸収層４の第１部分４０ａの仮想平面Ｐ1側の端縁部から尿取りパッド１の短手方向に延在する高坪量部分と、該高坪量部分から尿取りパッド１の短手方向にさらに延在する低坪量部分とを有する。
【００８８】
好ましくは、仮想平面Ｐ1は、Ｄ2(max)＞Ｄ5＞Ｄ1(max)／２及びＤ2(min)＞Ｄ5＞Ｄ1(max)／２を満たすように設定される。仮想平面Ｐ1がこれらの条件を満たす場合、吸収層４の第２部分４０ｂが有する高坪量部分が、吸収層４の第１部分４０ａの仮想平面Ｐ1側の端縁部に沿って、尿取りパッド１の長手方向に延在する。
【００８９】
本実施形態と異なり、距離Ｄ3及び距離Ｄ4が変動する場合、仮想平面Ｐ2の位置は、Ｄ4(max)＞Ｄ6＞Ｄ3(max)／２を満たすように設定される。仮想平面Ｐ2がこの条件を満たす場合、吸収層４の第３部分４０ｃは、吸収層４の第１部分４０ａの仮想平面Ｐ2側の端縁部から尿取りパッド１の短手方向に延在する高坪量部分と、該高坪量部分から尿取りパッド１の短手方向にさらに延在する低坪量部分とを有する。
【００９０】
好ましくは、仮想平面Ｐ2は、Ｄ4(max)＞Ｄ6＞Ｄ3(max)／２及びＤ4(min)＞Ｄ6＞Ｄ3(max)／２を満たすように設定される。仮想平面Ｐ2がこれらの条件を満たす場合、吸収層４の第３部分４０ｃが有する高坪量部分が、吸収層４の第１部分４０ａの仮想平面Ｐ2側の端縁部に沿って、尿取りパッド１の長手方向に延在する。
【００９１】
図５に示される仮想平面において、仮想平面Ｐ3は、仮想直線Ｌpよりも吸収層４の第１層４１の端縁部４１１側に位置するように設定され、仮想平面Ｐ4は、仮想直線ＬQよりも吸収層４の第１層４１の端縁部４１２側に位置するように設定される。この際、仮想平面Ｐ3及び仮想平面Ｐ4は、通常、仮想平面Ｐ3と吸収層４の第１層４１の端縁部４１１との距離、仮想平面Ｐ3と吸収層４の第２層４２の端縁部４２１との距離、仮想平面Ｐ4と吸収層４の第１層４１の端縁部４１２との距離、及び、仮想平面Ｐ4と吸収層４の第２層４２の端縁部４２２との距離が、仮想平面Ｐ3と仮想平面Ｐ4との距離に略等しいか又はそれよりも小さくなるように設定される。なお、仮想直線Ｌ3及び仮想直線Ｌ4は、仮想平面Ｐ3及び仮想平面Ｐ4と尿取りパッド１のトップシート２側の表面との交線であるので、仮想直線Ｌ3及び仮想直線Ｌ4の位置は、仮想平面Ｐ3及び仮想平面Ｐ4の位置に応じて一義的に設定される。
【００９２】
図６に示されるように、尿取りパッド１は、吸収層４と同様に仮想平面Ｐ1〜仮想平面Ｐ4によって区画された第１部分１０ａ〜第９部分１０ｉを有する。吸収層４の第１部分４０ａ〜第９部分４０ｉは、それぞれ、尿取りパッド１の第１部分１０ａ〜第９部分１０ｉに含まれる。なお、尿取りパッド１の第１部分１０ａ、第２部分１０ｂ及び第３部分１０ｃは、尿取りパッド１の股間部１２を構成しており、尿取りパッド１の第４部分１０ｄ、第６部分１０ｆ及び第７部分１０ｇは、尿取りパッド１の腹側部１１を構成しており、尿取りパッド１の第５部分１０ｅ、第８部分１０ｈ及び第９部分１０ｉは、尿取りパッド１の背側部１３を構成している。
【００９３】
図１〜図３に示されるように、尿取りパッド１は、液不透過性シートで形成された防漏カフ６ａ，６ｂを備える。図１〜図３に示されるように、防漏カフ６ａ，６ｂは、尿取りパッド１の短手方向両側に位置し、尿取りパッド１の長手方向に延在している。防漏カフ６ａ，６ｂの一方の端縁部は、トップシート２に固定された固定端であり、他方の端縁部は自由端である。防漏カフ６ａ，６ｂの自由端には、尿取りパッド１の長手方向に延在する弾性部６１ａ，６１ｂが設けられており、着用者が尿取りパッド１を着用する際、防漏カフ６ａ，６ｂは着用者の肌方向に向けて立ち上がる。
【００９４】
［折り畳み状態］
図７〜図１０に基づいて、折り畳み状態の尿取りパッド１について説明する。なお、本実施形態では、尿取りパッド１の第１部分１０ａの長手方向、短手方向及び厚み方向が、それぞれ、図１〜図６に示されるＸ方向、Ｙ方向及びＺ方向と一致し続けるように、展開状態の尿取りパッド１が折り畳まれているので、図７〜図１０に示される互いに直交するＸ方向、Ｙ方向及びＺ方向は、それぞれ、図１〜図６に示される互いに直交するＸ方向、Ｙ方向及びＺ方向と一致する。すなわち、尿取りパッド１の第１部分１０ａの長手方向、短手方向及び厚み方向が、それぞれ、図７〜図１０に示されるＸ方向、Ｙ方向及びＺ方向と一致し続けるように、折り畳み状態の尿取りパッド１が展開されると、図７〜図１０に示されるＸ方向、Ｙ方向及びＺ方向は、それぞれ、展開状態の尿取りパッド１の長手方向、短手方向及び厚さ方向と一致する。
【００９５】
図７は、折り畳み状態の尿取りパッド１の斜視図であり、図８は、図７のＢ−Ｂ線断面図である。図８において、吸収層４の第１層４１のうち、吸収層４の第１部分４０ａ〜第９部分４０ｉに含まれる部分は、それぞれ、符号４１ａ〜４１ｉで示されている。同様に、吸収層４の第２層４２のうち、吸収層４の第１部分４０ａ〜第９部分４０ｉに含まれる部分は、それぞれ、符号４２ａ〜４２ｉで示されている。また、吸収層４の第１層４１のうち、吸収層４の第１部分４０ａに含まれる部分４１ａは、第１重なり部分４０ａ1、第２重なり部分４０ａ2及び非重なり部分４０ａ3に含まれる部分にさらに区画され、それぞれ、符号４１ａ1〜４１ａ3で示されている。同様に、吸収層４の第２層４２のうち、吸収層４の第１部分４０ａに含まれる部分４２ａは、第１重なり部分４０ａ1、第２重なり部分４０ａ2及び非重なり部分４０ａ3に含まれる部分にさらに区画され、それぞれ、符号４２ａ1〜４２ａ3で示されている。
【００９６】
図８に示されるように、吸収層４の第１部分４０ａは、第１部分４０ａの厚さ方向において吸収層４の第２部分４０ｂと重なる第１重なり部分４０ａ1と、第１部分４０ａの厚さ方向において吸収層４の第３部分４０ｃと重なる第２重なり部分４０ａ2と、第１部分４０ａの厚さ方向において第２部分４０ｂ及び第３部分４０ｃのいずれとも重ならない非重なり部分４０ａ3とを有する。なお、吸収層４の第１部分４０ａの厚さ方向は、図８に示されるＺ方向と一致する。ここで、「第１部分４０ａが厚さ方向において別の部分と重なる」という表現は、第１部分４０ａから第１部分４０ａの厚さ方向に延ばした仮想直線が当該別の部分と交差することを意味する。したがって、第１部分４０ａ及び別の部分は、第１部分４０ａの厚さ方向に間隔を置いて（言い換えれば、非接触の状態で）重なっていてもよいし、接触した状態で重なっていてもよい。
【００９７】
なお、本実施形態において、吸収層４の第１部分４０ａは、第１部分４０ａの厚さ方向において第２部分４０ｂ及び第３部分４０ｃのいずれとも重なる部分を有している（図９参照）。このような部分は、第２部分４０ｂと重なる第１重なり部分４１１に分類してもよいし、第３部分４２と重なる第２重なり部分４１２に分類してもよい。
【００９８】
図８に示されるように、貫通孔５は、吸収層４の第１部分４０ａのうち、非重なり部分４０ａ3に位置している。
【００９９】
図８に示されるように、第１部分４０ａの第１重なり部分４０ａ1は、第１部分４０ａの厚さ方向において、第１重なり部分４０ａ1側から順に吸収層４の第２部分４０ｂ、第６部分４０ｆ、第４部分４０ｄ、第８部分４０ｈ及び第５部分４０ｅと重なっている。ここで、「第１重なり部分４０ａ1が厚さ方向において複数の部分と重なる」という表現は、第１重なり部分４０ａ1から第１部分４０ａの厚さ方向に延ばした仮想直線が当該複数の部分のいずれとも交差することを意味する。したがって、隣り合う２つの部分は、第１部分４０ａの厚さ方向に間隔を置いて（言い換えれば、非接触の状態で）重なっていてもよいし、接触した状態で重なっていてもよい。
【０１００】
なお、吸収層４が第６部分４０ｆを有しない実施形態では、第１部分４０ａの第１重なり部分４０ａ1は、第１部分４０ａの厚さ方向において、第１重なり部分４０ａ1側から順に吸収層４の第２部分４０ｂ、第４部分４０ｄ、第８部分４０ｈ及び第５部分４０ｅと重なる。吸収層４が第８部分４０ｈを有しない実施形態では、第１部分４０ａの第１重なり部分４０ａ1は、第１部分４０ａの厚さ方向において、第１重なり部分４０ａ1側から順に吸収層４の第２部分４０ｂ、第６部分４０ｆ、第４部分４０ｄ及び第５部分４０ｅと重なる。吸収層４が第６部分４０ｆ及び第８部分４０ｈを有しない実施形態では、第１部分４０ａの第１重なり部分４０ａ1は、第１部分４０ａの厚さ方向において、第１重なり部分４０ａ1側から順に吸収層４の第２部分４０ｂ、第４部分４０ｄ及び第５部分４０ｅと重なる。
【０１０１】
図８に示されるように、第１部分４０ａの第２重なり部分４０ａ2は、第１部分４０ａの厚さ方向において、第２重なり部分４０ａ2側から順に吸収層４の第３部分４０ｃ、第７部分４０ｇ、第４部分４０ｄ、第９部分４０ｉ及び第５部分４０ｅと重なっている。ここで、「第２重なり部分４０ａ2が第１部分４０ａの厚さ方向において複数の部分と重なる」という表現は、第２重なり部分４０ａ2から第１部分４０ａの厚さ方向に延ばした仮想直線が当該複数の部分のいずれとも交差することを意味する。したがって、隣り合う２つの部分は、第１部分４０ａの厚さ方向に間隔を置いて（言い換えれば、非接触の状態で）重なっていてもよいし、接触した状態で重なっていてもよい。
【０１０２】
なお、吸収層４が第７部分４０ｇを有しない実施形態では、第１部分４０ａの第２重なり部分４０ａ2は、第１部分４０ａの厚さ方向において、第２重なり部分４０ａ2側から順に吸収層４の第３部分４０ｃ、第４部分４０ｄ、第９部分４０ｉ及び第５部分４０ｅと重なる。吸収層４が第９部分４０ｉを有しない実施形態では、第１部分４０ａの第２重なり部分４０ａ2は、第１部分４０ａの厚さ方向において、第２重なり部分４０ａ2側から順に吸収層４の第３部分４０ｃ、第７部分４０ｇ、第４部分４０ｄ及び第５部分４０ｅと重なる。吸収層４が第７部分４０ｇ及び第９部分４０ｉを有しない実施形態では、第１部分４０ａの第２重なり部分４０ａ2は、第１部分４０ａの厚さ方向において、第２重なり部分４０ａ2側から順に吸収層４の第３部分４０ｃ、第４部分４０ｄ及び第５部分４０ｅと重なる。
【０１０３】
図７及び図８に示される折り畳み構造は、第１段階〜第４段階を経て形成される。なお、各段階における折り曲げは、手動で実施されてもよいし、機械によって実施されてもよい。以下、図７〜図１０に基づいて、第１段階〜第４段階を説明する。図９は、展開状態の尿取りパッド１が仮想直線Ｌ1で折り曲げられた後、仮想直線Ｌ2で折り曲げられることにより形成された折り畳み構造体の平面図である。図１０（ａ）は、図９のＣ−Ｃ線断面図であり、図１０（ｂ）は、図９のＤ−Ｄ線断面図である。
【０１０４】
（１）第１段階
第１段階では、展開状態の尿取りパッド１が仮想直線Ｌ1でトップシート２側に折り曲げられる。ここで、仮想直線Ｌ1におけるトップシート２側への折り曲げは、仮想直線Ｌ1が内側に隠れる折り曲げ（いわゆる谷折り）を意味する。
【０１０５】
図９及び図１０に示されるように、第１段階における折り曲げは、尿取りパッド１の第２部分１０ｂ、第６部分１０ｆ及び第８部分１０ｈのトップシート側表面が、それぞれ、尿取りパッド１の第１部分１０ａ、第４部分１０ｄ及び第５部分１０ｅのトップシート２側表面と向かい合うように実施される。なお、第１段階における折り曲げは、尿取りパッド１の第２部分１０ｂ、第６部分１０ｆ及び第８部分１０ｈのトップシート側表面が、それぞれ、尿取りパッド１の第１部分１０ａ、第４部分１０ｄ及び第５部分１０ｅのトップシート２側表面と接触するように実施されてもよいし、接触しないように実施されてもよい。
【０１０６】
尿取りパッド１のトップシート側表面は、仮想直線Ｌ1を軸として折り曲げられるので、仮想直線Ｌ1は、尿取りパッド１のトップシート側表面が描く曲面においてＹ方向の最も外側に位置する。
【０１０７】
図９及び図１０に示されるように、第１段階における折り曲げにより、吸収層４の第１部分４０ａは、吸収層４の第１部分４０ａの厚さ方向において吸収層４の第２部分４０ｂと重なり、吸収層４の第４部分４０ｄは、吸収層４の第４部分４０ｄの厚さ方向において吸収層６の第６部分４０ｆと重なり、吸収層４の第５部分４０ｅは、吸収層４の第５部分４０ｅの厚さ方向において、吸収層４の第８部分４０ｈと重なる。
【０１０８】
なお、吸収層４が第６部分４０ｆを有しない実施形態及び吸収層が第８部分４０ｈを有しない実施形態では、尿取りパッド１が仮想直線Ｌ1でトップシート２側に折り曲げられても、このような重なりは生じない。
【０１０９】
（２）第２段階
第２段階では、第１段階後の尿取りパッド１が仮想直線Ｌ2でトップシート２側に折り曲げられる。ここで、仮想直線Ｌ2におけるトップシート２側への折り曲げは、仮想直線Ｌ2が内側に隠れる折り曲げ（いわゆる谷折り）を意味する。
【０１１０】
図９及び図１０に示されるように、第２段階における折り曲げは、尿取りパッド１の第３部分１０ｃ、第７部分１０ｇ及び第９部分１０ｉのトップシート側表面が、それぞれ、尿取りパッド１の第１部分１０ａ、第４部分１０ｄ及び第５部分１０ｅのトップシート２側表面と向かい合うように実施される。なお、第２段階における折り曲げは、尿取りパッド１の第３部分１０ｃ、第７部分１０ｇ及び第９部分１０ｉのトップシート側表面が、それぞれ、尿取りパッド１の第１部分１０ａ、第４部分１０ｄ及び第５部分１０ｅのトップシート２側表面と接触するように実施されてもよいし、接触しないように実施されてもよい。
【０１１１】
尿取りパッド１のトップシート側表面は、仮想直線Ｌ2を軸として折り曲げされるので、仮想直線Ｌ2は、尿取りパッド１のトップシート側表面が描く曲面においてＹ方向の最も外側に位置する。
【０１１２】
図９及び図１０に示されるように、第２段階における折り曲げにより、吸収層４の第１部分４０ａは、第１部分４０ａの厚さ方向において、吸収層４の第３部分４０ｃと重なる。同様に、吸収層４の第４部分４０ｄは、第４部分４０ｄの厚さ方向において、吸収層４の第７部分４０ｇと重なり、吸収層４の第５部分４０ｅは、第５部分４０ｅの厚さ方向において、吸収層４の第９部分４０ｉと重なる。
【０１１３】
但し、吸収層４が第７部分４０ｇを有しない実施形態及び吸収層４が第９部分４０ｉを有しない実施形態では、尿取りパッド１が仮想直線Ｌ2でトップシート２側に折り曲げられても、このような重なりは生じない。
【０１１４】
本実施形態では、第２段階（仮想直線Ｌ2での折り曲げ）が第１段階（仮想直線Ｌ1での折り曲げ）の後に実施される。但し、このような条件は、本発明に係る尿取りパッド１において必須ではない。したがって、本発明に係る尿取りパッド１は、別の実施形態として、仮想直線Ｌ2での折り曲げが仮想直線Ｌ1での折り曲げの前に実施される実施形態を包含する。
【０１１５】
第１段階及び第２段階により、吸収層４の第１部分４０ａには、第１部分４０ａの厚さ方向において吸収層４の第２部分４０ｂと重なる第１重なり部分４０ａ1と、第１部分４０ａの厚さ方向において吸収層４の第３部分４０ｃと重なる第２重なり部分４０ａ2と、第１部分４０ａの厚さ方向において第２部分４０ｂ及び第３部分４０ｃのいずれとも重ならない非重なり部分４０ａ3が形成され、貫通孔５は非重なり部分４０ａ3に位置する。図８に示されるように、第１重なり部分４０ａ1及び第２重なり部分４０ａ2は、非重なり部分４０ａ3のＹ方向両側に形成される。なお、本実施形態では、図９に示されるように、第１重なり部分４０ａ1及び第２重なり部分４０ａ2が、非重なり部分４０ａ3の周囲に形成される。
【０１１６】
（３）第３段階
第３段階では、第２段階後の尿取りパッド１が仮想直線Ｌ3でトップシート２側に折り曲げられる。ここで、仮想直線Ｌ3におけるトップシート２側への折り曲げは、仮想直線Ｌ3が内側になる折り曲げ（いわゆる谷折り）を意味する。
【０１１７】
図７及び図８に示されるように、第３段階における折り曲げは、第４部分１０ｄに重ねられた第６部分１０ｆ及び第７部分１０ｇのバックシート側表面が、それぞれ、第１部分１０ａに重ねられた第２部分１０ｂ及び第３部分１０ｃのバックシート側表面と向かい合うように実施される。なお、第３段階における折り曲げは、第４部分１０ｄに重ねられた第６部分１０ｆ及び第７部分１０ｇのバックシート側表面が、第１部分１０ａに重ねられた第２部分１０ｂ及び第３部分１０ｃのバックシート側表面と接触するように実施されてもよいし、接触しないように実施されてもよい。
【０１１８】
尿取りパッド１のトップシート側表面は、仮想直線Ｌ3を軸として折り曲げられるので、仮想直線Ｌ3は、尿取りパッド１のトップシート側表面が描く曲面においてＸ方向の最も外側に位置する。
【０１１９】
第３段階における折り曲げにより、吸収層４の第１部分４０ａの第１重なり部分４０ａ1は、第１部分４０ａの厚さ方向において、第１重なり部分４０ａ1側から順に吸収層４の第２部分４０ｂ、第６部分４０ｆ及び第４部分４０ｄと重なる。同様に、吸収層４の第１部分４０ａの第２重なり部分４０ａ2は、第１部分４０ａの厚さ方向において、第２重なり部分４０ａ2側から順に吸収層４の第３部分４０ｃ、第７部分４０ｇ及び第４部分４０ｄと重なる。
【０１２０】
なお、吸収層４が第６部分４０ｆを有しない実施形態では、第１部分４０ａの第１重なり部分４０ａ1は、第１部分４０ａの厚さ方向において、第１重なり部分４０ａ1側から順に吸収層４の第２部分４０ｂ及び第４部分４０ｄと重なる。吸収層４が第７部分４０ｇを有しない実施形態では、第１部分４０ａの第２重なり部分４０ａ2は、第１部分４０ａの厚さ方向において、第２重なり部分４０ａ2側から順に吸収層４の第３部分４０ｃ及び第４部分４０ｄと重なる。
【０１２１】
（４）第４段階
第４段階では、第３段階の後、尿取りパッド１が仮想直線Ｌ4でトップシート２側に折り曲げられる。ここで、仮想直線Ｌ4におけるトップシート２側への折り曲げは、仮想直線Ｌ4が内側になる折り曲げ（いわゆる谷折り）を意味する。
【０１２２】
図７及び図８に示されるように、第４段階における折り曲げは、仮想直線Ｌ1及び仮想直線Ｌ2で折り曲げられた第８部分１０ｈ及び第９部分１０ｉのバックシート側表面が、第３仮想直線Ｌ3で折り曲げられた第４部分１０ｄのバックシート側表面と向かい合うように実施される。なお、第４段階における折り曲げは、仮想直線Ｌ1及び仮想直線Ｌ2で折り曲げられた第８部分１０ｈ及び第９部分１０ｉのバックシート側表面が、仮想直線Ｌ3で折り曲げられた第４部分１０ｄのバックシート側表面と接触するように実施されてもよいし、接触しないように実施されてもよい。
【０１２３】
尿取りパッド１のトップシート側表面は、仮想直線Ｌ4を軸として折り曲げられるので、仮想直線Ｌ4は、尿取りパッド１のトップシート側表面が描く曲面においてＸ方向の最も外側に位置する。
【０１２４】
第４段階における折り曲げにより、吸収層４の第１部分４０ａの第１重なり部分４０ａ1は、第１部分４０ａの厚さ方向において、第１重なり部分４０ａ1側から順に吸収層４の第２部分４０ｂ、第６部分４０ｆ、第４部分４０ｄ、第８部分４０ｈ及び第５部分４０ｅと重なる。同様に、吸収層４の第１部分４０ａの第２重なり部分４０ａ2は、第１部分４０ａの厚さ方向において、第２重なり部分４０ａ2側から順に吸収層４の第３部分４０ｃ、第７部分４０ｇ、第４部分４０ｄ、第９部分４０ｉ及び第５部分４０ｅと重なる。
【０１２５】
なお、吸収層４が第８部分４０ｈを有しない実施形態では、第１部分４０ａの第１重なり部分４０ａ1は、第１部分４０ａの厚さ方向において、第１重なり部分４０ａ1側から順に吸収層４の第２部分４０ｂ、第６部分４０ｆ、第４部分４０ｄ及び第５部分４０ｅと重なる。吸収層４が第９部分４０ｉを有しない実施形態では、第１部分４０ａの第２重なり部分４０ａ2は、第１部分４０ａの厚さ方向において、第２重なり部分４０ａ2側から順に吸収層４の第３部分４０ｃ、第７部分４０ｇ、第４部分４０ｄ及び第５部分４０ｅと重なる。
【０１２６】
以上の第１段階〜第４段階を経て、図７及び図８に示される折り畳み構造が形成される。本実施形態では、第１段階及び第２段階の後、第３段階及び第４段階が実施されるが、このような条件は、本発明に係る尿取りパッドにおいて必須ではない。したがって、本発明に係る尿取りパッドは、第１段階及び第２段階の後、第３段階は実施されるが、第４段階は実施されない実施形態、並びに、第１段階及び第２段階の後、第３段階は実施されないが、第４段階は実施される実施形態を包含する。
【０１２７】
折り畳み状態の尿取りパッド１において、吸収層４の第１部分４０ａのうち、第１重なり部分４０ａ1及び第２重なり部分４０ａ2には、それぞれ、第１部分４０ａの厚さ方向において吸収層４の第２部分４０ｂ及び第３部分４０ｃが重なっている一方、非重なり部分４０ａ3には、第１部分４０ａの厚さ方向において吸収層４の第２部分４０ｂ及び第３部分４０ｃのいずれも重なっていない。したがって、尿取りパッド１を吸収層４の第１部分４０ａの厚さ方向に圧縮する圧力が尿取りパッド１に加えられたとき（例えば、折り畳まれた複数の尿取りパッド１が、吸収層４の第１部分４０ａの厚さ方向に圧縮された状態で互いに隣接して容器に収納されているとき）、第１重なり部分４０ａ1に重なっている吸収層４の第２部分４０ｂと、第２重なり部分４０ａ2に重なっている吸収層４の第３部分４０ｃとが、圧力緩衝層として機能し、非重なり部分４０ａ3を圧力から保護する。特に、本実施形態では、第１重なり部分４０ａ1に重なっている吸収層４の複数の部分（第２部分４０ｂ、第６部分４０ｆ、第４部分４０ｄ、第８部分４０ｈ及び第５部分４０ｅ）と、第２重なり部分４０ａ2に重なっている吸収層４の複数の部分（第３部分４０ｃ、第７部分４０ｇ、第４部分４０ｄ、第９部分４０ｉ及び第５部分４０ｅ）とが、圧力緩衝層として機能し、非重なり部分を圧力から効果的に保護する。このため、非重なり部分４０ａ3に配置されたトップシート部分は、尿取りパッド１に加えられた圧力により押圧されにくい。また、非重なり部分４０ａ3には貫通孔５が位置しているので、非重なり部分４０ａ3に配置されたトップシート部分が押圧されたとしても貫通孔５内に逃げ込むことができる。このように、尿取りパッド１を吸収層４の第１部分４０ａの厚さ方向に圧縮する圧力が尿取りパッド１に加えられても、非重なり部分４０ａ3に配置されたトップシート部分は押圧されにくく、押圧されたとしても貫通孔５内に逃げ込むことができるため、非重なり部分４０ａ3に配置されたトップシート部分における畝部２１１の形態が維持されやすい。このような作用効果は、貫通孔５の代わりに、トップシート２側に開口する凹部が吸収層４に形成される実施形態でも同様に発揮される。
【０１２８】
折り畳み状態の尿取りパッド１において、吸収層４の第１部分４０ａの第１重なり部分４０ａ1の一部分には、第１部分４０ａの厚さ方向において吸収層４の第２部分４０ｂの高坪量部分が重なっており、他の部分には、第１部分４０ａの厚さ方向において吸収層４の第２部分４０ｂの低坪量部分が重なっている。したがって、尿取りパッド１を吸収層４の第１部分４０ａの厚さ方向に圧縮する圧力が尿取りパッド１に加えられたとき（例えば、折り畳まれた複数の尿取りパッド１が、吸収層４の第１部分４０ａの厚さ方向に圧縮された状態で互いに隣接して容器に収納されているとき）、圧力は、第１重なり部分４０ａ1のうち、吸収層４の第２部分４０ｂの高坪量部分が重なっている部分に伝わりやすく、吸収層４の第２部分４０ｂの低坪量部分が重なっている部分に伝わりにくい。特に、吸収層４の第２部分４０ｂの高坪量部分の厚みが、吸収層４の第２部分の低坪量部分の厚みよりも大きいので、圧力は、第１重なり部分４０ａ1のうち、吸収層４の第２部分４０ｂの高坪量部分が重なっている部分に伝わりやすく、吸収層４の第２部分４０ｂの低坪量部分が重なっている部分に伝わりにくい。したがって、第１重なり部分４０ａ1のうち、吸収層４の第２部分４０ｂの低坪量部分が重なっている部分に配置されたトップシート部分は、尿取りパッド１に加えられた圧力により押圧されにくく、このトップシート部分における畝部２１１の形態が維持されやすい。
【０１２９】
折り畳み状態の尿取りパッド１において、吸収層４の第１部分４０ａの第２重なり部分４０ａ2の一部分には、第１部分４０ａの厚さ方向において吸収層４の第３部分４０ｃの高坪量部分が重なっており、他の部分には、第１部分４０ａの厚さ方向において吸収層４の第３部分４０ｃの低坪量部分が重なっている。したがって、尿取りパッド１を吸収層４の第１部分４０ａの厚さ方向に圧縮する圧力が尿取りパッド１に加えられたとき（例えば、折り畳まれた複数の尿取りパッド１が、吸収層４の第１部分４０ａの厚さ方向に圧縮された状態で互いに隣接して容器に収納されているとき）、圧力は、第２重なり部分４０ａ2のうち、吸収層４の第３部分４０ｃの高坪量部分が重なっている部分に伝わりやすく、吸収層４の第３部分４０ｃの低坪量部分が重なっている部分に伝わりにくい。特に、吸収層４の第３部分４０ｃの高坪量部分の厚みが、吸収層４の第３部分４０ｃの低坪量部分の厚みよりも大きいので、圧力は、第２重なり部分４０ａ2のうち、吸収層４の第３部分４０ｃの高坪量部分が重なっている部分に伝わりやすく、吸収層４の第３部分４０ｃの低坪量部分が重なっている部分に伝わりにくい。したがって、第２重なり部分４０ａ2のうち、吸収層４の第３部分４０ｃの低坪量部分が重なっている部分に配置されたトップシート部分は、尿取りパッド１に加えられた圧力により押圧されにくく、このトップシート部分における畝部２１１の形態が維持されやすい。
【０１３０】
本発明に係る尿取りパッド収納品の一実施形態である尿取りパッド収納品１００は、図１１及び図１２に示されるように、複数の尿取りパッド１と、複数の尿取りパッド１が折り畳み構造を維持した状態で収納された容器７とを備えている。
【０１３１】
図１１及び図１２に示されるように、容器７に収納される尿取りパッド１の個数は複数である。但し、このような条件は、本発明に係る尿取りパッド収納品において必須ではない。したがって、本発明に係る尿取りパッド収納品は、別の実施形態として、容器７に収納される尿取りパッド１の個数が１個である実施形態を包含する。
【０１３２】
図１１及び図１２に示されるように、複数の尿取りパッド１は、各尿取りパッド１の折り畳み構造が維持された状態で縦向きに並べられて容器７に収納されている。但し、このような条件は、本発明に係る尿取りパッド収納品において必須ではない。したがって、本発明に係る尿取りパッド収納品は、別の実施形態として、複数の尿取りパッド１が横向きに並べられて容器７に収納される実施形態を包含する。
【０１３３】
容器７は、複数の尿取りパッド１を収納可能である限り特に限定されるものではない。容器７は、例えば、プラスチックフィルム等の包装資材で構成された袋状成形品である。
【０１３４】
尿取りパッド収納品１００において、複数の尿取りパッド１が、吸収層４の第１部分４０ａの厚さ方向に圧縮された状態で互いに隣接して容器に収納されている場合、尿取りパッド１の作用効果は顕著である。すなわち、このような場合、尿取りパッド１を吸収層４の第１部分４０ａの厚さ方向に圧縮する圧力が尿取りパッド１に加えられるが、吸収層４の第１部分４０ａの非重なり部分４０ａ3に配置されたトップシート部分は押圧されにくく、押圧されたとしても貫通孔５内に逃げ込むことができるため、非重なり部分４０ａ3に配置されたトップシート部分における畝部２１１の形態が維持されやすい。
【符号の説明】
【０１３５】
１    尿取りパッド
２    液透過性のトップシート
２１    肌当接面
２１０    畝溝構造（凹凸構造の一例）
２１１    畝部（凸部の一例）
２１２    溝部（凹部の一例）
３    液不透過性のバックシート
４    吸収層
４０ａ〜４０ｉ    第１仮想平面〜第４仮想平面によって区画された吸収層の第１部分〜第９部分
４０ａ1    吸収層の第１部分における第１重なり部分
４０ａ2    吸収層の第１部分における第２重なり部分
４０ａ3    吸収層の第１部分における非重なり部分
４１    第１層
４２    第２層
５    貫通孔
５１    第１層の貫通孔
５２    第２層の貫通孔
Ｌ1    第１仮想直線
Ｌ2    第２仮想直線
Ｌ3    第３仮想直線
Ｌ4    第４仮想直線
Ｐ1    第１仮想平面
Ｐ2    第２仮想平面
Ｐ3    第３仮想平面
Ｐ4    第４仮想平面
【要約】
【課題】凸部が形成された液透過性のトップシートを備える、展開可能に折り畳まれた尿取りパッドであって、トップシートのうち所定領域（例えば、着用者の陰部が当接する領域）に形成されている凸部の形態を維持可能な尿取りパッドを提供する。
【解決手段】吸収層の第１部分（４０ａ）のうち、第１重なり部分（４０ａ1）に、吸収層の複数の部分（４０ｂ、４０ｆ、４０ｄ、４０ｈ及び４０ｅ）を重ね、第２重なり部分（４０ａ2）に、吸収層の複数の部分（４０ｃ、４０ｇ、４０ｄ、４０ｉ及び４０ｅ）を重ね、非重なり部（４０ａ3）に、吸収層を厚さ方向に貫通する貫通孔５を位置させる。
【選択図】図８【図１】
0005539601.tif 000002
【図２】
0005539601.tif 000003
【図３】
0005539601.tif 000004
【図４】
0005539601.tif 000005
【図５】
0005539601.tif 000006
【図６】
0005539601.tif 000007
【図７】
0005539601.tif 000008
【図８】
0005539601.tif 000009
【図９】
0005539601.tif 000010
【図１０】
0005539601.tif 000011
【図１１】
0005539601.tif 000012
【図１２】
0005539601.tif 000013